【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
装置であって、
該装置は、
薬剤カートリッジであって、該薬剤カートリッジは、バレルと該バレルの中にプランジャを有し、該バレルは、ある総充填体積を有する薬剤リザーバの少なくとも実質的部分を画定する、薬剤カートリッジと、
注入ポンプアセンブリであって、該注入ポンプアセンブリは、該薬剤カートリッジを保持する筐体と、該筐体の中にかつ該薬剤カートリッジに対して位置付けられるプッシャとを含み、該プッシャーは、複数時間の期間にわたる複数の用量を含む記憶された送達プロファイルに従って該プランジャを押動することにより、該リザーバの該総充填体積の０．１％以下の薬剤の量を、＋／−２０％を上回る精度を伴って該リザーバから外に制御可能に分注する、注入ポンプアセンブリと
を備え、単回投与の精度は、８時間未満の時間／精度期間後に得られ、該時間／精度期間は、該カートリッジのための最初のプランジャの押動の開始の際に始まり、該時間／精度期間中に、前記プランジャは、前記記憶された送達プロファイルに従って押動される、装置。
【請求項２】
前記精度は、＋／−１０％を上回る、請求項１に記載の装置。
【請求項３】
前記精度は、＋／−５％を上回る、請求項１に記載の装置。
【請求項４】
前記時間／精度期間は、６時間以下である、請求項１に記載の装置。
【請求項５】
前記筐体の中に駆動機構をさらに備え、該駆動機構は、前記プッシャを駆動し、それによって前記プランジャを押動させる、請求項１に記載の装置。
【請求項６】
前記駆動機構は、モータと、送りネジと、該モータと該送りネジとの間で動作可能であるギヤアセンブリと、前記プッシャを該送りネジに取着する駆動ナットとを含む、請求項５に記載の装置。
【請求項７】
前記筐体は、挿入開口部を含み、該挿入開口部を通して、前記カートリッジは、前記プッシャの双方向移動軸に垂直な方向に、該筐体の中に挿入される、請求項１に記載の装置。
【請求項８】
剛性シャーシをさらに備え、該剛性シャーシは、前記筐体の中に搭載され、前記薬剤カートリッジのための区画を形成し、該区画は、直接、前記挿入開口部と連通する、請求項７に記載の装置。
【請求項９】
前記リザーバは、前記プッシャの長手軸に沿って、または平行に配置される薬剤出口ポートを含む、請求項１に記載の装置。
【請求項１０】
閉塞センサの流体力偏向可能部分が、前記カートリッジによって支持され、該閉塞センサの固定されたセンサ部分は、該カートリッジの外側かつ前記筐体の中にある、請求項１に記載の装置。
【請求項１１】
前記閉塞センサは、６マイクロリットル以下に相当する圧力変化を検出するように構成される、請求項１０に記載の装置。
【請求項１２】
前記カートリッジ内に支持されるカニューレをさらに備え、該カニューレは、前記筐体内の底部開口部から外に延在し、前記リザーバの出口ポートと流体連通する開口部を有する、請求項１に記載の装置。
【請求項１３】
前記カートリッジ内の要素および前記筐体内のセンサをさらに備え、該センサは、該要素の近傍に存在し、それによって、該カートリッジは、該筐体内のホーム位置にあることを検出し、前記カートリッジは、ホーム位置にあることを、前記プッシャを駆動するモータを制御するコントローラに通信するように構成される、請求項１に記載の装置。
【請求項１４】
前記プランジャは、スプール形状コアと、該コアの中央の周囲のシールとを含む、請求項１に記載の装置。
【請求項１５】
前記プランジャは、少なくとも前記シールの周囲に収縮巻着されるフッ素化ポリマー外筒を含む、請求項１４に記載の装置。
【請求項１６】
前記薬剤は、１．０ｃｃ当たり５００国際単位のインスリン活性を含有するインスリンである、請求項１に記載の装置。
【手続補正２】
【補正対象書類名】明細書
【補正対象項目名】０００４
【補正方法】変更
【補正の内容】
【０００４】
本発明は、例えば、以下を提供する：
（項目１）
薬剤カートリッジであって、
該薬剤カートリッジは、
バレルであって、該バレルは、ある総充填体積を有する薬剤リザーバの少なくとも実質的部分を画定する、バレルと、
プランジャであって、該プランジャは、該リザーバの該総充填体積の０．１％以下の薬剤の量を、＋／−２０％を上回る単回投与精度を伴って、該リザーバから外に制御可能に分注するように、該バレルに対して移動可能である、プランジャと
を備え、該精度は、８時間未満の分注期間内に得られる、カートリッジ。
（項目２）
前記単回投与精度は、＋／−１０％を上回る、項目１に記載の薬剤カートリッジ。
（項目３）
前記単回投与精度は、＋／−５％を上回る、項目１に記載の薬剤カートリッジ。
（項目４）
前記分注期間は、６時間以下である、項目１に記載の薬剤カートリッジ。
（項目５）
前記リザーバは、１２ｍｍ未満の直径を有する、項目１に記載の薬剤カートリッジ。
（項目６）
前記リザーバは、１０００マイクロリットル未満の体積を有する、項目１に記載の薬剤カートリッジ。
（項目７）
前記リザーバと流体連通する圧力センサの流体力偏向可能部分をさらに備える、項目１に記載の薬剤カートリッジ。
（項目８）
前記流体力偏向可能部分は、外筒を有するダイヤフラムと、該外筒によって保持される磁石と、保定リングとを含む、項目７に記載の薬剤カートリッジ。
（項目９）
貫通孔をさらに備える、項目１に記載の薬剤カートリッジ。
（項目１０）
前記貫通孔を含むマニホールド部分をさらに備える、項目９に記載の薬剤カートリッジ。
（項目１１）
前記バレルおよび前記マニホールド部分は、単一片として一体的に形成される、項目１０に記載の薬剤カートリッジ。
（項目１２）
前記リザーバは、前記貫通孔に出口ポートを含む、項目９に記載の薬剤カートリッジ。
（項目１３）
前記出口ポートを密閉する、前記貫通孔内の取り外し可能シールをさらに備える、項目９に記載の薬剤カートリッジ。
（項目１４）
前記取り外し可能シールは、該取り外し可能シールが手動で把持され、前記貫通孔から非密閉位置まで引っ張られ得るように、前記貫通孔の外側にアクセス可能に位置付けられる、ハンドル部分を含む、項目１３に記載の薬剤カートリッジ。
（項目１５）
前記リザーバは、薬剤を含有する、項目１に記載の薬剤カートリッジ。
（項目１６）
前記薬剤は、１．０ｃｃ当たり、５００国際単位のインスリン活性を含有する、インスリンである、項目１５に記載の薬剤カートリッジ。
（項目１７）
前記薬剤は、１．０ｃｃ当たり１００国際単位を上回るインスリン活性を含有するインスリンである、項目１５に記載の薬剤カートリッジ。
（項目１８）
前記薬剤は、前記リザーバ内に真空充填される、項目１５に記載の薬剤カートリッジ。
（項目１９）
前記プランジャは、一対の外側プランジャリング間に円周方向陥凹付き領域を有する外側表面を有するプランジャ本体を含み、該一対の外側プランジャリングは、前記バレルの内側表面との狭公差を有し、該プランジャは、該円周方向陥凹付き領域内に該バレルの内側表面によって圧縮されるＯリング構造をさらに含む、項目１に記載の薬剤カートリッジ。
（項目２０）
前記狭公差は、０．１＋／−．１ｍｍである、項目１９に記載の薬剤カートリッジ。
（項目２１）
前記Ｏリング構造は、一対の離間した円周方向圧縮性リングを有する、項目１９に記載の薬剤カートリッジ。
（項目２２）
前記プランジャは、前記Ｏリング構造の周囲に摩擦軽減層を含む、項目１９に記載の薬剤カートリッジ。
（項目２３）
前記摩擦軽減層は、前記Ｏリング構造上に収縮巻着される外筒であって、該外筒は、フッ素化ポリマー材料である、項目２２に記載の薬剤カートリッジ。
（項目２４）
前記バレルは、内部正面壁と、該正面壁内のリザーバ出口ポートと、該正面壁によって画定され、該出口ポートに近接するリザーバ気泡捕捉陥凹とを有する、項目１に記載の薬剤カートリッジ。
（項目２５）
前記プランジャは、スプール形状コアを含み、該コアは、中央および該コアの中央の周囲にスプール形状シールを画定する、項目１に記載の薬剤カートリッジ。
（項目２６）
前記プランジャは、少なくとも前記シールの周囲に摩擦軽減層を含む、項目２５に記載の薬剤カートリッジ。
（項目２７）
前記コアは、オレフィンポリマーから作製され、前記シールは、ブチルゴムから作製され、前記層は、フッ素化ポリマー材料から作製される、項目２６に記載の薬剤カートリッジ。
（項目２８）
前記プランジャは、前記バレルの内側表面に対する５ポンド未満の破断力および２から４ポンドまでの走行力を有する、項目１に記載の薬剤カートリッジ。
（項目２９）
前記プランジャは、４．００＋／−．０８ｍｍの幅を有する、項目１に記載の薬剤カートリッジ。
（項目３０）
ある総充填体積を画定するリザーバと、プランジャとを有するカートリッジから薬剤を分注する方法であって、
該方法は、
薬剤リザーバから外に、該リザーバの該総充填体積の０．１％以下の薬剤の量を、＋／−２０％を上回る単回投与精度を伴って制御可能に分注するように該プランジャを押動すること
を備え、該精度は、８時間未満の分注期間の後に得られる、方法。
（項目３１）
前記単回投与精度は、＋／−１０％を上回る、項目３０に記載の方法。
（項目３２）
前記単回投与精度は、＋／−５％を上回る、項目３０に記載の方法。
（項目３３）
前記分注期間は、６時間以下である、項目３０に記載の方法。
（項目３４）
前記薬剤は、１．０ｃｃ当たり１００国際単位を上回るインスリン活性を含有するインスリンである、項目３０に記載の方法。
（項目３５）
前記薬剤は、１．０ｃｃ当たり５００国際単位のインスリン活性を含有するインスリンである、項目３０に記載の方法。
（項目３６）
前記押動することは、前記薬剤リザーバから外に、前記総充填体積の０．１％以下の薬剤の量を、２秒未満以内に制御可能に分注するように、前記プランジャを押動することを備える、項目３０に記載の方法。
（項目３７）
前記量は、．２３−．２７マイクロリットルである、項目３６に記載の方法。
（項目３８）
前記分注された薬剤の量を、カニューレの中に、次いで、皮下的に患者の中に移行させることをさらに備える、項目３０に記載の方法。
（項目３９）
装置であって、
該装置は、
薬剤カートリッジであって、該薬剤カートリッジは、バレルと該バレルの中にプランジャを有し、該バレルは、ある総充填体積を有する薬剤リザーバの少なくとも実質的部分を画定する、薬剤カートリッジと、
注入ポンプアセンブリであって、該注入ポンプアセンブリは、該薬剤カートリッジを保持する筐体と、該筐体の中にかつ該薬剤カートリッジに対して位置付けられるプッシャとを含み、該プッシャーは、該プランジャを押動することにより、該リザーバの該総充填体積の０．１％以下の薬剤の量を、＋／−２０％を上回る精度を伴って該リザーバから外に制御可能に分注する、注入ポンプアセンブリと
を備え、該精度は、８時間未満の分注期間内に得られる、装置。
（項目４０）
前記精度は、＋／−１０％を上回る、項目３９に記載の装置。
（項目４１）
前記精度は、＋／−５％を上回る、項目３９に記載の装置。
（項目４２）
前記分注期間は、６時間以下である、項目３９に記載の装置。
（項目４３）
前記筐体の中に駆動機構をさらに備え、該駆動機構は、前記プッシャを駆動し、それによって前記プランジャを押動させる、項目３９に記載の装置。
（項目４４）
前記駆動機構は、モータと、送りネジと、該モータと該送りネジとの間で動作可能であるギヤアセンブリと、前記プッシャを該送りネジに取着する駆動ナットとを含む、項目４３に記載の装置。
（項目４５）
前記筐体は、挿入開口部を含み、該挿入開口部を通して、前記カートリッジは、前記プッシャの双方向移動軸に垂直な方向に、該筐体の中に挿入される、項目３９に記載の装置。
（項目４６）
剛性シャーシをさらに備え、該剛性シャーシは、前記筐体の中に搭載され、前記薬剤カートリッジのための区画を形成し、該区画は、直接、前記挿入開口部と連通する、項目４５に記載の装置。
（項目４７）
前記リザーバは、前記プッシャの長手軸に沿って、または平行に配置される薬剤出口ポートを含む、項目３９に記載の装置。
（項目４８）
閉塞センサの流体力偏向可能部分が、前記カートリッジによって支持され、該閉塞センサの固定されたセンサ部分は、該カートリッジの外側かつ前記筐体の中にある、項目３９に記載の装置。
（項目４９）
前記閉塞センサは、６マイクロリットル以下に相当する圧力変化を検出するように構成される、項目４８に記載の装置。
（項目５０）
前記カートリッジ内に支持されるカニューレをさらに備え、該カニューレは、前記筐体内の底部開口部から外に延在し、前記リザーバの出口ポートと流体連通する開口部を有する、項目３９に記載の装置。
（項目５１）
前記カートリッジ内の要素および前記筐体内のセンサをさらに備え、該センサは、該要素の近傍に存在し、それによって、該カートリッジは、該筐体内のホーム位置にあることを検出し、前記カートリッジは、ホーム位置にあることを、前記プッシャを駆動するモータを制御するコントローラに通信するように構成される、項目３９に記載の装置。
（項目５２）
前記プランジャは、スプール形状コアと、該コアの中央の周囲のシールとを含む、項目３９に記載の装置。
（項目５３）
前記プランジャは、少なくとも前記シールの周囲に収縮巻着されるフッ素化ポリマー外筒を含む、項目５２に記載の装置。
（項目５４）
薬剤カートリッジであって、
該薬剤カートリッジは、
バレルであって、該バレルは、内側表面および出口ポートを有する薬剤リザーバの少なくとも実質的部分を画定する、バレルと、
該バレル内に位置するプランジャであって、該プランジャは、プランジャ本体と、円周方向陥凹付き領域と、Ｏリング構造とを含み、該プランジャ本体は、該バレルの内側表面と狭公差を有する一対の外側プランジャ−本体リングを有する外側表面を有し、該円周方向陥凹付き領域は該プランジャ−本体リング間にあり、該Ｏリング構造は、該円周方向陥凹付き領域内にあり、該バレルの内側表面によって圧縮され、一対の離間した円周方向に圧縮されたリングを有する、プランジャと
備える、カートリッジ。
（項目５５）
前記狭公差は、０．１＋／−．１ｍｍである、項目５４に記載の薬剤カートリッジ。
（項目５６）
前記プランジャは、少なくとも前記Ｏリング構造の周囲に摩擦軽減層を含む、項目５４に記載の薬剤カートリッジ。
（項目５７）
前記摩擦軽減層は、前記Ｏリング構造上に収縮巻着される外筒であって、該外筒は、フッ素化ポリマー材料である、項目５６に記載の薬剤カートリッジ。
（項目５８）
前記プランジャ本体は、スプール形状コアを画定し、前記Ｏリング構造は、該スプール形状コアの中央の周囲にシールを画定する、項目５４に記載の薬剤カートリッジ。
（項目５９）
前記スプール形状コアは、９．７０＋／−．０６ｍｍの直径を有する、項目５８に記載の薬剤カートリッジ。
（項目６０）
前記プランジャは、前記バレルの内側表面に対して５ポンド未満の破断力および２から４ポンドまでの走行力を有する、項目５４に記載の薬剤カートリッジ。
（項目６１）
前記プランジャは、４．００＋／−．０８ｍｍの幅を有する、項目５４に記載の薬剤カートリッジ。
（項目６２）
薬剤カートリッジであって、
該薬剤カートリッジは、
ある内径を画定するバレルと、
前記バレル内に位置し、ストローク長にわたって移動可能であるプランジャと、
を備え、該ストローク長対内径の比は、約１．０以下である、カートリッジ。
（項目６３）
前記ストローク長対内径の比は、０．７５から１．０までの間にある、項目６２に記載の薬剤カートリッジ。
（項目６４）
薬剤カートリッジであって、
該薬剤カートリッジは、
薬剤リザーバを画定し、出口ポートを有するカートリッジ本体と、  該カートリッジ本体に接続され、該出口ポートと流体連通する貫通孔を有するマニホールドと
を備える、カートリッジ。
（項目６５）
前記マニホールドによって支持される、流体力センサアセンブリの流体力偏向可能部分をさらに備える、項目６４に記載の薬剤カートリッジ。
（項目６６）
前記流体力偏向可能部分は、前記貫通孔と流体連通する、項目６５に記載の薬剤カートリッジ。
（項目６７）
前記流体力偏向可能部分は、可撓性ダイヤフラムに取着された磁石を含む、項目６５に記載の薬剤カートリッジ。
（項目６８）
前記薬剤カートリッジは、前記流体力センサアセンブリの固定されたセンサ部分を含まない、項目６５に記載の薬剤カートリッジ。
（項目６９）
前記流体力偏向可能部分は、可撓性ダイヤフラムに取着された磁石を含む、項目６８に記載の薬剤カートリッジ。
（項目７０）
前記流体力偏向可能部分は、磁気透過性材料を含む、項目６８に記載の薬剤カートリッジ。
（項目７１）
前記流体力偏向可能部分は、光学センサ要素を含む、項目６８に記載の薬剤カートリッジ。
（項目７２）
前記薬剤は、１．０ｃｃ当たり５００国際単位のインスリン活性を含有するインスリンである、項目６４に記載の薬剤カートリッジ。
（項目７３）
シールをさらに備え、該シールは、前記貫通孔の中および前記出口ポートに概して位置付けられ、該貫通孔から取り外し可能である、項目６４に記載の薬剤カートリッジ。
（項目７４）
前記シールが、前記カートリッジ本体の外側にアクセス可能に位置付けられるハンドル部分を含むことにより、該シールは、手動で把持され、前記貫通孔から引っ張られ得る、項目７３に記載の薬剤カートリッジ。
（項目７５）
プランジャをさらに備え、該プランジャは、前記カートリッジ本体内で移動可能であり、前記リザーバの中の薬剤を前記出口ポートから制御可能に押動する、項目６４に記載の薬剤カートリッジ。
（項目７６）
前記プランジャは、前方密閉Ｏリングと、後方摩擦制御デバイスとを有し、該後方摩擦制御デバイスは、該前方密閉Ｏリングと異なる材料から形成され、該前方密閉Ｏリングから後方にある距離だけ離間している、項目７５に記載の薬剤カートリッジ。
（項目７７）
前記後方摩擦制御デバイスは、Ｏリングである、項目７６に記載の薬剤カートリッジ。
（項目７８）
前記プランジャは、本体部分を有し、前記後方摩擦制御デバイスは、該本体部分上にオーバーモールド成形される、項目７６に記載の薬剤カートリッジ。
（項目７９）
前記プランジャは、一対の外側プランジャリング間に内部陥凹付き領域を有する外側表面を画定し、該一対の外側プランジャリングは、前記リザーバの内側表面と狭公差を有することにより、該プランジャの揺動を防止し、該プランジャは、Ｏリング構造を含み、該Ｏリング構造は、該内部陥凹付き領域内にあり、該内側表面によって圧縮されて流体シールを提供する、項目７５に記載の薬剤カートリッジ。
（項目８０）
前記狭公差は、０．１＋／−．１ｍｍである、項目７９に記載の薬剤カートリッジ。
（項目８１）
前記カートリッジ本体と前記マニホールドとは、一緒にレーザ溶接されるか、または超音波溶接される、項目６４に記載の薬剤カートリッジ。
（項目８２）
前記カートリッジ本体と前記マニホールドとは、単一片として一緒に成形される、項目６４に記載の薬剤カートリッジ。
（項目８３）
前記カートリッジ本体は、バレル形状を有し、前記マニホールドの一部は、該カートリッジ本体によって画定される外部表面を越えて外方に延在する、項目６４に記載の薬剤カートリッジ。
（項目８４）
前記リザーバは、５００から７００マイクロリットルまでの流体体積を有する、項目６４に記載の薬剤カートリッジ。
（項目８５）
前記マニホールドは、上部および底部表面を画定し、
前記貫通孔は、該マニホールドの該上部および底部表面まで延在し、長さが７．６０−８．０ｍｍであり、３．８−４．２ミリメートルの直径を有する、項目６４に記載の薬剤カートリッジ。
（項目８６）
注入ポンプシステムであって、
該注入ポンプシステムは、
注入ポンプアセンブリであって、該注入ポンプアセンブリは、筐体と、該筐体内のカートリッジ受容領域と、プッシャと、該プッシャを駆動するモータを含む駆動機構とを含む、注入ポンプアセンブリと、
薬剤カートリッジであって、該薬剤カートリッジは、プランジャと、貫通孔と、出口ポートを有する薬剤リザーバとを含む、薬剤カートリッジと、
該筐体に取着されるように構成されるベースプレートと
を備え、該注入ポンプアセンブリおよび該薬剤カートリッジは、該薬剤カートリッジが該カートリッジ受容領域内に位置付けられ、該ベースプレートが該筐体に取着されると、該プランジャが該プッシャと動作可能に整列させられるように、それぞれ構成される、システム。
（項目８７）
前記薬剤カートリッジは、バレルと、該バレルに取着されたマニホールドとを含み、前記プランジャは、該バレル内に位置付けられ、前記貫通孔は、該マニホールド内に位置付けられる、項目８６に記載のシステム。
（項目８８）
前記筐体は、底部表面を有し、前記ベースプレートは、該筐体の底部表面を少なくとも実質的に被覆する、項目８６に記載のシステム。
（項目８９）
前記筐体は、底部面を含み、
該筐体の底部面は、薬剤カートリッジ挿入開口部を有し、該薬剤カートリッジ挿入開口部は、前記薬剤カートリッジが、それを通して、前記カートリッジ受容領域内の挿入位置に挿入され得るように構成および位置付けられ、
前記ベースプレートは、該挿入開口部を少なくとも部分的に被覆する、項目８６に記載のシステム。
（項目９０）
前記ベースプレートは、前記貫通孔内へと上方に延在する流体コネクタと、前記リザーバの出口ポートと連通する開口部とを有する、項目８６に記載のシステム。
（項目９１）
前記ベースプレートは、前記流体コネクタから該ベースプレートの縁までの流体路と、該流体路の遠位端を注入セットに連通させる流体チャネルとを有する、項目９０に記載のシステム。
（項目９２）
前記ベースプレートは、プラグを有し、該プラグは、前記貫通孔内に延在し、該ベースプレートが薬剤非送達ベースプレートを画定するように、前記出口ポートを塞栓する、項目８６に記載のシステム。
（項目９３）
前記ベースプレートは、前記貫通孔と整列させられたベースプレート開口部を有し、前記システムは、カニューレをさらに備え、
該カニューレは、前記貫通孔から、該ベースプレート開口部を通って延在し、前記出口ポートと連通する開口部を有する、項目８６に記載のシステム。
（項目９４）
前記ベースプレートは、底部表面を画定し、前記ベースプレート開口部に隣接する前記底部表面上の第１の接着剤と、該ベースプレート開口部からある距離だけ離間した第２の接着剤とを含み、該第１の接着剤は、該第２の接着剤よりもヒトの皮膚に強力に接着する、項目９３に記載のシステム。
（項目９５）
前記ベースプレートは、底部表面を画定し、該底部表面上に接着剤を含む、項目９３に記載のシステム。
（項目９６）
注入ポンプシステムであって、
該注入ポンプシステムは、
使い捨て可能な第１の部分であって、該使い捨て可能な第１の部分は、薬剤リザーバと、該リザーバ内の薬剤と、該注入ポンプシステムの薬剤流体路全体とを含む、使い捨て可能な第１の部分と、
再使用可能な第２の部分であって、該再使用可能な第２の部分は、モータを含み、該薬剤流体路のいずれの部分からも遊離している、再使用可能な第２の部分と
を備え、該使い捨て可能な第１の部分および該再使用可能な第２の部分は、該再使用可能な第２の部分が、該モータの動作が該薬剤を該薬剤リザーバから分注させる動作位置に位置付け可能であるように、それぞれ構成される、システム。
（項目９７）
前記使い捨て可能な第１の部分は、閉塞センサの第１の部分を含み、該第１の部分は、前記薬剤流体路と流体接触し、
前記再使用可能な第２の部分は、該閉塞センサの第２の部分を含み、
該第１および第２の部分は、一緒に動作して、該使い捨て可能な第１の部分が、前記動作位置にあるとき、該薬剤流体路の閉塞を検出する、項目９６に記載のシステム。
（項目９８）
前記第１の部分は、流体力偏向可能部分である、項目９７に記載のシステム。
（項目９９）
前記第１の部分は、前記閉塞センサの非給電部分であり、前記第２の部分は、該閉塞センサの給電部分である、項目９７に記載のシステム。
（項目１００）
前記第１の部分は、磁石を含み、前記第２の部分は、ホール効果センサまたは磁気抵抗センサを含む、項目９７に記載のシステム。
（項目１０１）
前記磁石は、可撓性ダイヤフラムに取着される、項目１００に記載のシステム。
（項目１０２）
アラームをさらに備え、
前記再使用可能な第２の部分は、コントローラを含み、該コントローラは、１つ以上の圧力信号を前記閉塞センサから受信して、閉塞が存在するか否かを決定し、閉塞決定に応答して、前記アラームを起動し、前記モータを前進させないように構成される、項目９７に記載のシステム。
（項目１０３）
前記コントローラは、閉塞決定に応答して、前記モータを後退方向に動作させるように構成される、項目１０２に記載のシステム。
（項目１０４）
前記第１の部分は、磁気透過性材料を含み、前記第２の部分は、コイルを含み、該コイルのインダクタンスは、それに対する該磁気透過性材料の移動によって変化する、項目９７に記載のシステム。
（項目１０５）
前記第１の部分は、光学要素を含み、前記第２の部分は、光学センサを含む、項目９７に記載のシステム。
（項目１０６）
前記薬剤リザーバは、出口ポートを含み、前記使い捨て可能な第１の部分は、該出口ポートと関連付けられた取り外し可能シールを含む、項目９７に記載のシステム。
（項目１０７）
前記使い捨て可能な第１の部分は、
前記薬剤リザーバを画定するバレルと、該バレル内のプランジャとを有する薬剤カートリッジと、
該バレルに取着され、貫通孔を有するマニホールドと
を備える、項目９６に記載のシステム。
（項目１０８）
前記再使用可能な第２の部分は、その底部表面内に開口部を含み、該開口部を通して、前記使い捨て可能な第１の部分の少なくとも実質的部分が前記動作位置に挿入される、項目１０７に記載のシステム。
（項目１０９）
前記再使用可能な第２の部分は、前記使い捨て可能な第１の部分を前記動作位置に固着するラッチ機構を含む、項目１０８に記載のシステム。
（項目１１０）
ベースプレートをさらに備え、該ベースプレートは、前記再使用可能な第２の部分に取着され、前記底部表面を実質的に被覆するように構成される、項目１０８に記載のシステム。
（項目１１１）
前記ベースプレートは、開口部を含み、前記システムは、カニューレをさらに備え、
該カニューレは、前記貫通孔、前記底部表面開口部、および前記ベースプレート開口部の中に位置付け可能である、項目１１０に記載のシステム。
（項目１１２）
前記再使用可能な第２の部分は、コントローラ、ギヤアセンブリ、送りネジ、プランジャプッシャ、およびエンコーダを含み、
前記使い捨て可能な第１の部分は、前記薬剤リザーバと関連付けられたプランジャを含み、
該再使用可能な第２の部分および該使い捨て可能な第１の部分は、該使い捨て可能な第１の部分が前記動作位置にあるとき、該プッシャとプランジャとが動作可能に整列させられるように、それぞれ構成される、項目９６に記載のシステム。
（項目１１３）
前記使い捨て可能な第１の部分は、前記薬剤リザーバが空であるとき、および／または該薬剤リザーバが、部分的にのみ満杯であるとき、前記再使用可能な第２の部分の中の前記動作位置から取り外し可能である、項目９６に記載のシステム。
（項目１１４）
前記使い捨て可能な第１の部分は、貫通孔と、カニューレとを含み、該カニューレは、該貫通孔の中に挿入可能であり、該カニューレが該貫通孔の中のホーム位置にあるときに、前記薬剤リザーバの出口と流体連通する開口部を有する、項目９６に記載のシステム。
（項目１１５）
注入ポンプ装置であって、
該注入ポンプ装置は、
リザーバおよびプランジャを有するバレルを含む薬剤カートリッジと、
カートリッジ受容領域を有する筐体と、プランジャプッシャと、該プランジャプッシャを駆動させるためのモータを含む駆動機構とを含む注入ポンプアセンブリと
を備え、該プランジャプッシャは、該プランジャに接続不可能であり、引張力を該プランジャに印加不可能である、装置。
（項目１１６）
プランジャプッシャを含む注入ポンプと併用するための薬剤カートリッジであって、
該カートリッジは、
リザーバを画定するバレルと、
プランジャであって、該プランジャは、該バレルの中に位置し、該プランジャプッシャが該プランジャを引っ張ることを可能にするような構造を含まない、プランジャと
を備える、カートリッジ。
（項目１１７）
前記プランジャの軸方向運動は、前記バレルとの制御された摩擦によって抵抗される、項目１１６に記載の薬剤カートリッジ。
（項目１１８）
前記制御された摩擦は、１から１５ポンドまでである、項目１１７に記載の薬剤カートリッジ。
（項目１１９）
前記プランジャは、前記バレルとの０．１＋／−．１ｍｍの隙間を有するプランジャ本体部分を含む、項目１１６に記載の薬剤カートリッジ。
（項目１２０）
前記リザーバは、出口を含み、前記カートリッジは、マニホールドをさらに備え、
該マニホールドは、前記バレルに接続され、該出口と流体連通する貫通孔を有する、項目１１６に記載の薬剤カートリッジ。
（項目１２１）
前記バレルは、内側表面を有し、前記プランジャは、該バレルの内側表面と狭公差を画定する、一対の外側プランジャ−本体リング部分間に内部陥凹付き領域を有する外側表面を有し、該プランジャの揺動を防止し、該プランジャは、該内部陥凹付き領域内に、該内側表面によって圧縮され、その間に流体シールを提供するＯリング構造を有する、項目１１６に記載の薬剤カートリッジ。
（項目１２２）
前記プランジャは、前方密閉Ｏリングと、後方摩擦制御デバイスとを有し、該後方摩擦制御デバイスは、該前方密閉Ｏリングと異なる材料から形成され、該前方密閉Ｏリングから離間している、項目１１６に記載の薬剤カートリッジ。
（項目１２３）
前記後方摩擦制御デバイスは、Ｏリングである、項目１２２に記載の薬剤カートリッジ。
（項目１２４）
前記プランジャは、本体部分を有し、前記後方摩擦制御デバイスは、該本体部分上にオーバーモールド成形される、項目１２２に記載の薬剤カートリッジ。
（項目１２５）
前記プランジャは、前記プッシャ上の対応するコネクタに接続するように構成されるコネクタを含まず、該プランジャは、該プッシャ上の対応するネジ山に接続するように構成されるネジ山を含まない、項目１１６に記載の薬剤カートリッジ。
（項目１２６）
装置であって、
該装置は、
筐体であって、該筐体は、薬剤カートリッジ貯蔵領域と、薬剤カートリッジ挿入開口部を有する第１の面と、該第１の面の反対側の、カートリッジ観察開口部を有する第２の面とを含む、筐体と、
該筐体の中にあり、該カートリッジ貯蔵領域と関連付けられる流体変位デバイスと、
該流体変位デバイスを駆動する駆動機構と
を備える、装置。
（項目１２７）
前記挿入開口部を少なくとも部分的に被覆するように、前記筐体に取着可能なベースプレートをさらに備える、項目１２６に記載の装置。
（項目１２８）
前記観察開口部の中には、いかなる構造も存在しない、項目１２６に記載の装置。
（項目１２９）
前記流体変位デバイスは、プランジャプッシャを備える、項目１２６に記載の装置。
（項目１３０）
薬剤を含有する略透明な薬剤リザーバと、プランジャとを有する薬剤カートリッジ
をさらに備え、
前記筐体および該薬剤カートリッジは、該薬剤カートリッジが前記カートリッジ貯蔵領域の中にあるとき、該リザーバの一部が前記カートリッジ観察開口部の中に少なくとも延在するように、それぞれ定寸および成形される、項目１２９に記載の装置。
（項目１３１）
前記リザーバの一部は、前記カートリッジ観察開口部を通って１．０ｍｍ以下だけ外方に延在する、項目１３０に記載の装置。
（項目１３２）
前記リザーバの一部は、前記リザーバの５％以下である、項目１３０に記載の装置。
（項目１３３）
前記筐体は、１０．８−１１．１ｍｍの厚さを有する、項目１３０に記載の装置。
（項目１３４）
リザーバおよびプランジャを含む薬剤カートリッジと併用するための注入ポンプアセンブリであって、
該アセンブリは、
対向する第１の面と第２の面とを有するポンプ筐体と、
プランジャプッシャと、
モータを含む駆動機構であって、該モータは、該プランジャプッシャに接続され、該プランジャプッシャを軸に沿って制御可能に双方向に移動させる、駆動機構と
を備え、該第１の面は、挿入開口部を有し、該薬剤カートリッジは、該挿入開口部を通して、該軸に略垂直な方向に、挿入位置の中に挿入されることができる、アセンブリ。
（項目１３５）
前記第１の面は、前記筐体の底部面であり、前記アセンブリは、ベースプレートをさらに備え、
該ベースプレートは、該筐体に取着可能であり、挿入開口部上にあり、前記薬剤カートリッジは挿入位置にある、項目１３４に記載の注入ポンプアセンブリアセンブリ。
（項目１３６）
シャーシをさらに備え、該シャーシは、前記筐体の中にあり、前記挿入開口部と連通する薬剤カートリッジ区画を有する、項目１３４に記載の注入ポンプアセンブリ。
（項目１３７）
摺動可能ラッチをさらに備え、該摺動可能ラッチは、前記プランジャプッシャの少なくとも一部が、前記薬剤カートリッジの中にあるとき、該薬剤カートリッジを挿入位置に保持する、項目１３４に記載の注入ポンプアセンブリ。
（項目１３８）
前記駆動機構は、遊星変速機と、送りネジと、該遊星変速機と該送りネジとの間に位置付けられる横方向ギヤ列と、前記プランジャプッシャを推進し、該送りネジと接触する駆動ナットとを含む、項目１３４に記載の注入ポンプアセンブリ。
（項目１３９）
前記モータは、前記送りネジを駆動し、それによって、前記プランジャプッシャを前方薬剤分注方向に、かつ該プランジャから後方方向に離れるよう駆動するように適合される、項目５に記載の注入ポンプアセンブリ。
（項目１４０）
装置であって、
該装置は、
薬剤カートリッジと、
項目１３４〜１３９のうちのいずれか一項に記載のポンプアセンブリと
を備える、装置。
（項目１４１）
前記筐体第２の面は、上部面開口部を有する上部面であり、前記薬剤カートリッジは、薬剤を中に有する略透明の薬剤リザーバを有し、該筐体および薬剤カートリッジは、該薬剤カートリッジが挿入位置にあるとき、該薬剤リザーバの一部が該上部表面開口部を通って突出位置まで外方に延在し、該リザーバの中の薬剤が該筐体の外側から可視であるように、それぞれ構成される、項目１４０に記載の装置。
（項目１４２）
リザーバおよびプランジャを有する薬剤カートリッジと併用するための装置であって、
該装置は、
注入ポンプアセンブリであって、該注入ポンプアセンブリは、
対向する第１の面と第２の面とを有する筐体と、
該筐体の中のプランジャプッシャと、
モータを含む駆動機構であって、該駆動機構は、該プランジャプッシャに接続され、該プランジャプッシャを軸に沿って移動させる、駆動機構と
を含み、該第１の面は、薬剤カートリッジ挿入開口部を有し、該薬剤カートリッジ挿入開口部を通して、該薬剤カートリッジは、該筐体の中の挿入位置に挿入され、該プランジャプッシャと動作可能に整列させられることができる、注入ポンプアセンブリと、
該挿入開口部を少なくとも部分的に被覆するように該筐体に取着可能であるベースプレートと
を備える、装置。
（項目１４３）
前記ベースプレートは、身体接着可能ベースプレートである、項目１４２に記載の装置。
（項目１４４）
前記ベースプレートは、注入セットベースプレートである、項目１４２に記載の装置。
（項目１４５）
前記ベースプレートは、薬剤非送達ベースプレートである、項目１４２に記載の装置。
（項目１４６）
前記ベースプレートは、底部表面を画定し、カニューレ開口部は、該カニューレ開口部に隣接する該底部表面上の第１の接着剤と、該底部表面上にあり、該カニューレ開口部からある距離だけ離間している第２の接着剤とを含み、該第１の接着剤は、該第２の接着剤よりもヒトの皮膚に強力に接着する、項目１４２に記載の装置。
（項目１４７）
前記第１の接着剤は、前記第２の接着剤の剥離強度よりも少なくとも２０％上回る剥離強度を有する、項目１４６に記載の装置。
（項目１４８）
前記ベースプレートは、長さが３９．０−４３．０ｍｍであり、３１．０−３５．０ｍｍの幅を有する、項目１４２に記載の装置。
（項目１４９）
前記ベースプレートは、
上部開口部と、縁開口部と、該上部開口部と該縁開口部との間の流体路とを有するプレート部材と、
該縁開口部において該流体路の端部と連通する管類と、
該上部開口部において該プレート部材から上方に延在するコネクタと
を含む、項目１４２に記載の装置。
（項目１５０）
前記コネクタは、円周方向シールを含む、項目１４９に記載の装置。
（項目１５１）
前記管類に接続される、注入セットをさらに備える、項目１４９に記載の装置。
（項目１５２）
前記ベースプレートは、プレート部材および薬剤カートリッジプラグを含む、項目１４２に記載の装置。
（項目１５３）
前記筐体の第２の面は、開口部を有し、前記薬剤リザーバは、薬剤を含有する略透明のリザーバであり、該筐体および薬剤カートリッジは、該薬剤カートリッジが、挿入位置にあるとき、該リザーバの一部が、該第２の面開口部を通って突出位置に外方に延在し、該リザーバの中の薬剤が該筐体の外部から可視であるように、それぞれ構成される、項目１４２に記載の装置。
（項目１５４）
システムであって、
該システムは、
リザーバを有する薬剤カートリッジと、
項目１４２〜１５２のうちのいずれか一項に記載のアセンブリと
を備える、システム。
（項目１５５）
前記薬剤カートリッジは、出口ポートおよび貫通孔を含み、
前記ベースプレートは、
上部開口部と、縁開口部と、該上部開口部と該縁開口部との間の流体路とを有するプレート部材と、
該縁開口部において該流体路の端部と連通する管類と、
コネクタであって、該コネクタは、該上部開口部における該プレート部材から上方に延在し、該薬剤カートリッジが挿入位置にあり、該ベースプレートが該筐体に取着されると、該カートリッジ貫通孔内に延在するように構成され、該コネクタは、開口部を有し、該開口部は、該カートリッジ出口ポートと連通し、該薬剤リザーバと該流体路との間の経路の少なくとも一部を画定する、コネクタと
を含む、項目１５４に記載のシステム。
（項目１５６）
前記コネクタは、円周方向シールを含み、該円周方向シールは、前記出口ポートと流体連通する前記コネクタ開口部を有する前記カートリッジ貫通孔に対して該コネクタを密閉する、項目１５５に記載のシステム。
（項目１５７）
前記薬剤カートリッジは、開口部を含み、
前記ベースプレートは、プレート部材と、薬剤カートリッジプラグとを含み、該薬剤カートリッジプラグは、該薬剤カートリッジの開口部の中に延在し、前記薬剤リザーバの出口ポートを密閉する、項目１５４に記載のシステム。
（項目１５８）
前記薬剤リザーバは、薬剤を含有する略透明のリザーバであり、
前記筐体第２の面は、開口部を有し、
前記筐体および薬剤カートリッジは、該薬剤カートリッジが挿入位置にあるとき、該リザーバの一部が、該第２の面開口部を通って突出位置に外方に延在し、該リザーバの中の薬剤が該筐体の外側から可視であるように、それぞれ構成される、項目１５４に記載のシステム。
（項目１５９）
注入ポンプアセンブリと併用するための薬剤カートリッジ挿入方法であって、該注入ポンプアセンブリは、カートリッジ受容領域、挿入開口部、および駆動軸に沿って移動可能なプランジャプッシャを有する筐体を有し、該方法は
薬剤リザーバおよびプランジャを有する薬剤カートリッジを、該挿入開口部を通して、該駆動軸に略垂直な方向に、該カートリッジ受容領域の中の挿入位置まで挿入するステップであって、それによって、該プランジャは、該プランジャプッシャと動作可能に整列させられるステップを備える、方法。
（項目１６０）
薬剤カートリッジを挿入するステップの後に、前記プランジャプッシャを前進させて、前記プランジャに接触させ、次いで、プランジャプッシャ零圧調整手順の一部として、該プランジャプッシャを設定距離だけ引き抜くステップをさらに備える、項目１５９に記載の方法。
（項目１６１）
前記挿入開口部は、前記筐体の底部表面上にある、項目１５９に記載の方法。
（項目１６２）
薬剤カートリッジを挿入するステップの後に、ベースプレートを前記筐体に、概して前記底部表面上に取着するステップをさらに備える、項目１６１に記載の方法。
（項目１６３）
前記薬剤カートリッジは、マニホールド貫通孔を含み、前記ベースプレートは、開口部を含み、前記取着するステップは、該ベースプレート開口部を該貫通孔と整列させるステップを含む、項目１６２に記載の方法。
（項目１６４）
ベースプレートを取着するステップの後に、前記貫通孔内のカニューレを前記ベースプレート開口部を通して患者の中に挿入するステップをさらに備える、項目１６３に記載の方法。
（項目１６５）
前記筐体は、その中に固定され、剛性区画を含むシャーシを含み、薬剤カートリッジを挿入するステップは、前記薬剤カートリッジを該区画の中に挿入するステップを含む、項目１５９に記載の方法。
（項目１６６）
前記筐体は、その中に剛性壁および押動デバイスを含み、薬剤カートリッジを挿入するステップは、該押動デバイスが、該薬剤カートリッジを該剛性壁に対して保持位置に押動するように、前記挿入開口部の中を通して、該剛性壁に隣接して該薬剤カートリッジを挿入するステップを含む、項目１５９に記載の方法。
（項目１６７）
前記リザーバは、略透明のリザーバであり、前記薬剤カートリッジを挿入するステップは、前記薬剤カートリッジを挿入するステップを含み、それにより、該リザーバの一部は、該リザーバの中の薬剤が前記筐体の上部表面開口部を通して該筐体の外側から可視である突出位置まで外方に延在する、項目１５９に記載の方法。
（項目１６８）
リザーバおよびプランジャを含む薬剤カートリッジと併用するための注入ポンプアセンブリであって、
該アセンブリは、
薬剤カートリッジ挿入開口部を有する筐体と、
該筐体内に固着され、該挿入開口部と連通する薬剤カートリッジ区画を画定する区画部分を有するシャーシと、
該筐体内に位置し、該薬剤カートリッジ区画の内外に移動可能であるプランジャプッシャと
を備え、該挿入開口部は、該プランジャプッシャの長手軸に略垂直である、アセンブリ。
（項目１６９）
前記アセンブリは、１０ポンドの力において、．０００５−．００２０インチのプランジャ湿潤側弾性コンプライアンスを有する、項目１６８に記載の注入ポンプアセンブリ。
（項目１７０）
前記区画部分は、正面当接壁と、開口部を有する背面壁と、該正面当接壁と該背面壁とを接続する離間した側壁とを有し、
前記シャーシは、該背面壁から後方に延在する延在部分をさらに含み、該延在部分は貫通チャネルと、該延在部分の後方端におけるフランジ部分とを有し、該フランジ部分は、フランジ開口部を有する、項目１６８に記載の注入ポンプアセンブリ。
（項目１７１）
前記背面壁開口部、前記貫通チャネル、および前記フランジ開口部は、整列させられ、前記区画部分、前記延在部分、および前記フランジ部分は、３００万ｐｓｉ超の弾性係数を有する材料の単一片として形成される、項目１７０に記載の注入ポンプアセンブリ。
（項目１７２）
前記シャーシは、３００万ｐｓｉ超の弾性係数を有する材料から形成される、項目１６８に記載の注入ポンプアセンブリ。
（項目１７３）
前記シャーシは、１，０００万ｐｓｉ超の弾性係数を有する材料から形成される、項目１６８に記載の注入ポンプアセンブリ。
（項目１７４）
前記シャーシは、前記筐体の壁の材料の５−６０倍の弾性係数を有する材料から形成される、項目１６８に記載の注入ポンプアセンブリ。
（項目１７５）
前記シャーシは、前記筐体に接合される、項目１６８に記載の注入ポンプアセンブリ。
（項目１７６）
前記シャーシは、前記筐体へのスナップ留め取着のために構成される、項目１６８に記載の注入ポンプアセンブリ。
（項目１７７）
前記プランジャプッシャは、また、モータと、遊星変速機と、送りネジと、前記遊星変速機と前記送りネジとの間に位置付けられる横方向ギヤ列とを含む駆動機構の一部であり、該モータは、前記シャーシの外側に位置付けられる、項目１６８に記載の注入ポンプアセンブリ。
（項目１７８）
前記駆動機構は、前記プランジャプッシャを前記送りネジに動作可能に接続する係合部材を含む、項目１７７に記載の注入ポンプアセンブリ。
（項目１７９）
前記係合部材は、ナットであって、
前記プランジャプッシャは、前記送りネジを用いて該プランジャプッシャの回転を防止する構造を有し、
該ナットは、該プランジャプッシャと一緒に成形されるか、該プランジャプッシャに圧入されるか、または該プランジャプッシャと一体的に機械加工される、項目１７８に記載の注入ポンプアセンブリ。
（項目１８０）
前記駆動機構は、前記送りネジの端部にアンギュラコンタクトスラスト軸受を含むとともに、前記シャーシと界面接触し、該送りネジと一直線にある、項目１７７に記載の注入ポンプアセンブリ。
（項目１８１）
前記駆動機構は、前記送りネジの端部に組み合わされたラジアル／スラスト軸受を含むとともに、前記シャーシと界面接触し、前記送りネジと一直線にあり、該スラスト軸受は、組み合わされたラジアル／スラスト軸受である、項目１７７に記載の注入ポンプアセンブリ。
（項目１８２）
前記組み合わされたラジアル／スラスト軸受は、薬剤分注の間、１０ポンドの軸方向力に抵抗することができ、プランジャプッシャ後退の間、４ポンドの軸方向力に抵抗することができる、項目１８１に記載の注入ポンプアセンブリ。
（項目１８３）
前記シャーシは、延在部分を含むとともに、前記区画と連通し、前記送りネジが中に位置付けられる貫通開口部、および端部取着フランジを含む、項目１７７に記載の注入ポンプアセンブリ。
（項目１８４）
前記シャーシは、金属、セラミック、または補強材料で充填されたプラスチックから形成される、項目１６８に記載の注入ポンプアセンブリ。
（項目１８５）
前記シャーシは、ガラス補強されたプラスチック、カーボン補強されたプラスチック、アルミニウム、チタン、または鋼鉄から形成される、項目１６８に記載の注入ポンプアセンブリ。
（項目１８６）
前記薬剤は、１．０ｃｃ当たり５００国際単位のインスリン活性を含有するインスリンである、項目１６８に記載の注入ポンプアセンブリ。
（項目１８７）
前記シャーシは、長さが３７．０−４１．０ｍｍであり、厚さが８．９−９．１ｍｍ、であり、幅が１５．８−１６．２ｍｍであり、前記区画は、長さが１８．８−１９．２ｍｍであり、幅が１１．８−１２．２ｍｍである、項目１６８に記載の注入ポンプアセンブリ。
（項目１８８）
駆動機構の前記スラスト軸受は、前記シャーシに圧入または接合される、項目１６８に記載の注入ポンプアセンブリ。
（項目１８９）
注入ポンプ装置であって、
該注入ポンプ装置は、
ポンプアセンブリ筐体と、
該筐体内のプランジャプッシャと、
該プランジャプッシャを駆動するモータと、
挿入位置において該筐体内に位置付け可能である薬剤カートリッジあって、該薬剤カートリッジは、外側表面を有するカートリッジ正面壁と、薬剤リザーバと、乾燥側面を有するプランジャとを有し、プランジャプッシャによって、カートリッジ正面壁に向かって移動可能であることにより、該リザーバから薬剤を制御可能に分注する、薬剤カートリッジと、
該プランジャの乾燥側面と該カートリッジ正面壁の外側表面との間に該リザーバを圧着するクランプと
を備える、装置。
（項目１９０）
前記クランプは、前記プランジャが、前記プランジャプッシャによって前記正面壁に向かって前進させられる際に、漸増的に調節する圧着変位を印加する、項目１８９に記載の装置。
（項目１９１）
前記圧着変位は、．００１インチずつ漸増的に調節する、項目１９０に記載の装置。
（項目１９２）
前記プランジャプッシャは、０．５ｍｍのピッチを有する送りネジに取着され、前記圧着変位は、回転当たり０．５ｍｍずつ漸増的に調節する、項目１９０に記載の装置。
（項目１９３）
前記クランプは、前記筐体内に位置付けられるシャーシを含む、項目１８９に記載の装置。
（項目１９４）
前記クランプは、駆動系を含み、該駆動系は、前記プランジャプッシャを含む、項目１８９に記載の装置。
（項目１９５）
前記駆動系は、端部シャフトと、該シャフト上に圧嵌され、前記シャーシ内に接合される、組み合わされたラジアル／スラスト軸受とを有する、送りネジを含む、項目１９４に記載の装置。
（項目１９６）
前記組み合わされたラジアル／スラスト軸受は、薬剤分注の間、１０ポンドの軸方向力に抵抗することができ、プランジャプッシャ後退の間、４ポンドの軸方向力に抵抗することができる、項目１９５に記載の装置。
（項目１９７）
前記クランプは、
正面壁と、背面壁と、該正面壁と背面壁との間に延在する離間した第１および第２の側壁とを有するシャーシと、
一端にスラスト軸受と、その反対端に前記プランジャプッシャとを含む駆動系と、
を含み、前記カートリッジ正面壁は、該シャーシ正面壁に係合し、
該スラスト軸受は、該シャーシ背面壁の内側表面に係合する、項目１８９に記載の装置。
（項目１９８）
前記スラスト軸受は、前記シャーシ背面壁内に圧入または接合される、項目１９７に記載の装置。
（項目１９９）
前記スラスト軸受は、ボール軸受と、該ボール軸受を誘導する保定装置と、該ボール軸受が上載するスラストワッシャと、該ボール軸受が上載するスラスト面を有するギヤとを含む、項目１９７に記載の装置。
（項目２００）
前記駆動系は、送りネジと、該送りネジを前記プランジャプッシャに接続する駆動ナットと、前記筐体内のモータから該送りネジに駆動力を伝達するための該送りネジ上の駆動ギヤとさらにを含む、項目１９７に記載の装置。
（項目２０１）
前記駆動ギヤは、前記送りネジと一体的に機械加工されるか、該送りネジに溶接されるか、該送りネジに接合されるか、該送りネジ上に圧嵌されるか、または該送りネジ上に収縮嵌合される、項目２００に記載の装置。
（項目２０２）
前記クランプは、Ｃ形状クランプである、項目１８９に記載の装置。
（項目２０３）
前記クランプは、２％を上回る精度を伴って、０から１０ポンドまでの力範囲にわたって圧着変位を印加する、項目１８９に記載の装置。
（項目２０４）
注入ポンプ装置であって、
該注入ポンプ装置は、
前方隅部を画定するカートリッジ受容領域と、流体変位デバイスとを中に有する筐体と、
リザーバと、該受容領域内の挿入位置に位置付け可能である閉塞センサの非給電部分とを有する薬剤カートリッジと、
該筐体内、該薬剤カートリッジの外側、かつ該カートリッジ受容領域の該前方隅部に近接して位置付けられる該閉塞センサの給電部分と、
該受容領域の該前方隅部内への挿入位置にあるとき、該薬剤カートリッジを付勢するように位置付けられる少なくとも１つの弾力性部材と
を備える、装置。
（項目２０５）
前記少なくとも１つの弾力性部材は、前記給電部分と前記非給電部分との間の距離を設定し、該距離は、該給電部分と非給電部分との間に公称磁場を確立する、項目２０４に記載の装置。
（項目２０６）
前記非給電部分は、可撓性ダイヤフラムに取着された磁石を含み、前記給電部分は、ホール効果センサまたは磁気抵抗センサを含む、項目２０４に記載の装置。
（項目２０７）
シャーシをさらに備え、該シャーシは、前記筐体内にあり、前記カートリッジ受容領域を画定する区画を有する、項目２０４に記載の装置。
（項目２０８）
前記区画は、側壁を含み、前記少なくとも１つの弾力性部材は、該区画の側壁上に少なくとも１つの板バネを含む、項目２０７に記載の装置。
（項目２０９）
前記区画は、背面壁を含み、前記少なくとも１つの弾力性部材は、該区画の背面壁から前記カートリッジ受容領域の中に外方に延在するコイルバネ付勢部材をさらに含む、項目２０８に記載の装置。
（項目２１０）
前記区画は、背面壁を含み、前記少なくとも１つの弾力性部材は、該区画の背面壁から前記カートリッジ受容領域の中に外方に延在するバネ付勢部材を含む、項目２０７に記載の装置。
（項目２１１）
前記少なくとも１つの弾力性部材は、複数のバネを含む、項目２０４に記載の装置。
（項目２１２）
前記カートリッジは、プランジャを含み、
前記流体変位デバイスは、プランジャプッシャと、該プランジャプッシャを駆動するモータを含む駆動機構とを備える、項目２０４に記載の装置。
（項目２１３）
リザーバおよびプランジャを含む、カートリッジと併用するための注入ポンプアセンブリであって、
該注入ポンプアセンブリは、
筐体であって、該筐体は、プランジャプッシャと、該プランジャプッシャを駆動するモータを含む駆動機構とを中に有する、筐体と、
該筐体内に位置するシャーシであって、該シャーシは、前方領域および後方端を画定し、第１および第２の側面フレーム部材と、ギヤキャップとを含み、該第１および第２の側面フレーム部材は、ともに取着され、該シャーシの該前方領域において、カートリッジ受容区画を形成し、該ギアキャップは、該シャーシの該後方端において、少なくとも１つの締結具によって、該第１および第２の側面フレーム部材のうちの少なくとも１つに取着される、シャーシと
を備える、アセンブリ。
（項目２１４）
前記第１の側面フレーム部材は、第１の膨隆領域を含み、前記ギヤキャップは、第２の膨隆領域を含み、該第１および第２の膨隆領域は、該第１の側面フレーム部材に取着される該ギヤキャップと膨隆領域を形成するように境界を接する、項目２１３に記載の注入ポンプアセンブリ。
（項目２１５）
前記駆動機構は、
前記プランジャプッシャを駆動する送りネジと、
前記モータと前記駆動ネジとの間で動作可能に、前記膨隆領域内に位置付けられる出力ギヤと
を含む、項目２１４に記載の注入ポンプアセンブリ。
（項目２１６）
前記駆動機構は、前記送りネジ上の駆動ギヤと、前記出力ギヤと前記駆動ギヤとの間の横方向中間ギヤとを含み、該横方向中間ギヤの一部は、前記膨隆領域内に位置付けられる、項目２１５に記載の注入ポンプアセンブリ。
（項目２１７）
前記駆動機構は、前記モータと前記出力ギヤとの間に遊星変速機を含む、項目２１６に記載の注入ポンプアセンブリ。
（項目２１８）
前記送りネジの端部において組み合わされたラジアル／スラスト軸受が、前記ギヤキャップ内に嵌合して、半径方向および軸方向の遊びを制御し、
前記出力ギヤは、該ギヤキャップ内に延在し、
前記横方向中間ギヤの前記シャフトは、該ギヤキャップ内への圧入または締まり嵌めを有する、項目２１６に記載の注入ポンプアセンブリ。
（項目２１９）
前記膨隆領域は、前記出力ギヤ、前記横方向中間ギヤ、および前記駆動ギヤを潤滑させるための潤滑油を含有する変速機を画定する、項目２１６に記載の注入ポンプアセンブリ。
（項目２２０）
前記第１の側面フレーム部材は、横方向後方端くの字形状部を有する、項目２１３に記載の注入ポンプアセンブリ。
（項目２２１）
前記少なくとも１つの締結具は、第１の締結具と、第２の締結具を含み、該第１の締結具は、前記ギヤキャップを通って前記くの字形状部の中に、次いで、前記第２の側面フレーム部材の中に通過し、該第２の締結具は、該ギヤキャップを通って前記第１の側面フレーム部材の中に通過するが、該第２の側面フレーム部材の中には通過しない、項目２２０に記載の注入ポンプアセンブリ。
（項目２２２）
前記シャーシは、前記筐体に掛合または接合される、項目２１３に記載の注入ポンプアセンブリ。
（項目２２３）
前記カートリッジ受容区画は、長さが１８．８−１９．２ｍｍであり、幅が１１．８−１２．２ｍｍである、項目２１３に記載の注入ポンプアセンブリ。
（項目２２４）
前記シャーシは、長さが３７．０−４１．０ｍｍであり、厚さが８．９−９．１ｍｍであり、幅が１５．８−１６．２ｍｍである、項目２１３に記載の注入ポンプアセンブリ。
（項目２２５）
前記シャーシは、１０−３，０００万ｐｓｉの弾性係数を有する、項目２１３に記載の注入ポンプアセンブリ。
（項目２２６）
前記筐体は、０．５−１００万ｐｓｉの弾性係数を有する、項目５８に記載の注入ポンプアセンブリ。
（項目２２７）
プランジャプッシャと、薬剤カートリッジとを有する注入ポンプ装置を動作させる方法であって、該薬剤カートリッジは、外側表面、リザーバ、および乾燥側面を有するプランジャを有するカートリッジ正面壁を有し、該プランジャプッシャによって、該カートリッジ正面壁に向かって移動可能であり、該方法は、
圧着力を印加するステップを備え、該ステップは、該プランジャの乾燥側面と該カートリッジ正面壁の外側表面との間に該リザーバを圧着し、該プランジャプッシャが、該プランジャを該正面壁に向かって前進させることによって、漸増的に調節する圧着変位を印加する、方法。
（項目２２８）
前記圧着変位は、．００１インチずつ漸増的に調節する、項目２２７に記載の方法。
（項目２２９）
前記圧着変位は、２％を上回る精度を伴って、０から１０ポンドまでの力範囲にわたって印加される、項目２２７に記載の方法。
（項目２３０）
本体を有する薬剤カートリッジと併用するための注入ポンプアセンブリであって、該本体は、前方端部と、該前方端部における薬剤出口ポートと、該本体内のプランジャとを有する薬剤リザーバを画定し、該アセンブリは、
筐体であって、該筐体は、カートリッジ挿入開口部と、カートリッジ受容領域とを有し、該カートリッジ受容領域は、該挿入開口部と連通し、挿入位置において該薬剤カートリッジを受容するように構成される、筐体と、
該カートリッジ受容領域内に固着して搭載される剛性壁と、
カートリッジ押動手段であって、該カートリッジ押動手段は、該薬剤カートリッジに係合し、挿入位置における該薬剤カートリッジを該剛性壁に対して保持位置に押動する、カートリッジ押動手段と、
該筐体内のプランジャプッシャと、
該筐体内にある駆動機構であって、該駆動機構は、モータを含み、該薬剤カートリッジが該保持位置にあるときに該プランジャプッシャを駆動して、該プランジャを押動するように構成される、駆動機構と
を備える、アセンブリ。
（項目２３１）
前記駆動機構は、遊星変速機と、送りネジと、前記プッシャを該送りネジに接続する駆動ナットと、該遊星変速機と該送りネジとの間に動作可能に位置付けられる横方向ギヤ列とを含む、項目２３０に記載の注入ポンプアセンブリ。
（項目２３２）
前記剛性壁は、前記筐体内に搭載されるシャーシの一部であり、前記モータおよび前記遊星変速機は、該シャーシの外側に位置付けられ、前記プランジャプッシャは、該シャーシ内に位置付けられる、項目２３１に記載の注入ポンプアセンブリ。
（項目２３３）
前記筐体は、底部表面を画定し、前記挿入開口部は、該筐体の底部表面上にある、項目２３２に記載の注入ポンプアセンブリ。
（項目２３４）
注入ポンプ装置であって、
該注入ポンプ装置は、
筐体であって、該筐体は、カートリッジ受容領域と、プランジャプッシャと、該プランジャプッシャを駆動する、モータを含む駆動機構とを中に有する、筐体と、
接触部材であって、該接触部材は、その端部が該カートリッジ受容領域の中に延在するように前方に付勢される、接触部材と、
薬剤リザーバと、該カートリッジ受容領域内の挿入位置に位置付け可能であるプランジャとを有する薬剤カートリッジと
を備え、該接触部材が、挿入位置における該カートリッジおよび非後退位置における該プランジャプッシャとともに、該カートリッジ受容領域に対して後方移動が阻止され、それによって該カートリッジを該カートリッジ受容領域内に係止することと、
該接触部材が、後退位置における該プランジャプッシャとともに、該受容領域に対して後退可能であり、それによって、該カートリッジを挿入位置に挿入させるか、またはそこから除去されることとを可能にする、装置。
（項目２３５）
前記接触部材は、前記プランジャプッシャが、前記後退位置にあるとき、自動的に係止解除し、該プランジャプッシャが、該後退位置から前進させられるとき、自動的に係止する、項目２３４に記載の装置。
（項目２３６）
前記接触部材は、後方移動が阻止されるとき、バネ付勢部材との摩擦係合によって阻止される、項目２３４に記載の装置。
（項目２３７）
前記バネ付勢部材は、前記摩擦係合から離れるように異なる位置に再位置付けされ、該位置は、前記プランジャプッシャが前記後退位置にあるとき、前記接触部材を後退可能にする、項目２３６に記載の装置。
（項目２３８）
枢動部材は、前記プランジャプッシャが前記バネ付勢部材を前記異なる位置に移動させるために前記後退位置にあるとき、該枢動部材上の該プランジャプッシャの作用によって枢動される、項目２３７に記載の装置。
（項目２３９）
前記枢動部材は、半玉トグルである、項目２３８に記載の装置。
（項目２４０）
前記接触部材は、前記カートリッジを前記カートリッジ受容領域内に係止するとき、該カートリッジにおける溝内に位置付けられる、項目２３４に記載の装置。
（項目２４１）
前記接触部材は、防水Ｏリング密閉表面を有し、前記プランジャプッシャは、防水Ｏリング密閉表面を有する、項目２３４に記載の装置。
（項目２４２）
前記接触部材は、解放可能線形一方クラッチの一部である、項目２３４に記載の装置。
（項目２４３）
リザーバおよびプランジャを有する薬剤カートリッジと併用するための注入ポンプアセンブリであって、
該注入ポンプアセンブリは、
筐体であって、該筐体は、カートリッジ受容領域と、プランジャプッシャと、該プランジャプッシャを駆動する、モータを含む駆動機構とを中に有する、筐体と、
インターロックであって、該インターロックは、該カートリッジが挿入位置にあり、該プランジャプッシャが非後退位置にあるとき、該カートリッジ受容領域からの該薬剤カートリッジの除去を防止し、該カートリッジが挿入位置にあり、該プランジャプッシャが後退位置にあるとき、該カートリッジ受容領域からの該薬剤カートリッジの除去を可能にする、インターロックと
を備える、アセンブリ。
（項目２４４）
前記インターロックは、前記プランジャプッシャが前記後退位置にあるとき、前記カートリッジを自動的に係止解除し、該プランジャプッシャが前記後退位置から前進させられるとき、該カートリッジを自動的に係止する、項目２４３に記載の注入ポンプアセンブリ。
（項目２４５）
前記インターロックは、前記カートリッジ受容領域内へとバネ付勢される伸長部材を含む、項目２４３に記載の注入ポンプアセンブリ。
（項目２４６）
前記インターロックは、摩擦部材を含み、該摩擦部材は、前記プランジャプッシャが非後退位置にあるとき、前記伸長部材に対して摩擦接触阻止位置から移動可能であり、および該プランジャプッシャが後退位置にあるとき、該伸長部材に対して摩擦接触外非阻止位置から移動可能である、項目２４５に記載の注入ポンプアセンブリ。
（項目２４７）
前記インターロックは、前記摩擦接触阻止位置と前記摩擦接触外非阻止位置との間で前記摩擦部材を移動させるトグル部材を含む、項目２４６に記載の注入ポンプアセンブリ。
（項目２４８）
前記トグル部材は、部分球形状である、項目２４７に記載の注入ポンプアセンブリ。
（項目２４９）
前記摩擦部材は、バネ付勢部材を含む、項目２４５に記載の注入ポンプアセンブリ。
（項目２５０）
前記受容領域を画定する、前記筐体内のシャーシをさらに備える、項目２４５に記載の注入ポンプアセンブリ。
（項目２５１）
前記インターロックは、解放可能線形一方クラッチを備える、項目２４３に記載の注入ポンプアセンブリ。
（項目２５２）
リザーバおよびプランジャを有する薬剤カートリッジと、
項目２４３〜２５１のいずれか一項に記載の注入ポンプアセンブリと
を備える、装置。
（項目２５３）
薬剤カートリッジを付勢する部材を含むポンプモジュールを動作させる方法であって、
該方法は、
該部材を阻止状態から解放状態まで変化させるステップを備え、該阻止状態において、該部材は、該ポンプモジュールからの薬剤カートリッジの除去を阻止し、該解放状態において、該部材は、遠隔制御からの命令の受信に応答して、該薬剤カートリッジを該ポンプモジュールから除去されることを可能にする、方法。
（項目２５４）
前記薬剤リザーバが少なくとも部分的に満杯であるとき、前記部材を前記阻止状態に維持するステップをさらに備える、項目２５３に記載の方法。
（項目２５５）
前記薬剤カートリッジは、プランジャを含み、前記ポンプモジュールは、プランジャプッシャを含み、前記部材を変化させるステップは、該プランジャプッシャを該プランジャとの接触位置から後退位置まで移動させるステップを含む、項目２５３に記載の方法。
（項目２５６）
前記プランジャプッシャを前記後退位置に移動させるステップは、トグルを動作させるステップを含み、該トグルを動作させるステップは、該プランジャプッシャによって前記部材を付勢して、前記解放状態に変化させる、項目２５５に記載の方法。
（項目２５７）
前記部材が前記阻止状態にあるとき、摩擦要素を該部材に対して付勢するステップをさらに備える、項目２５６に記載の方法。
（項目２５８）
前記変化させるステップは、前記ポンプモジュールが患者のホーム位置にあるときに、前記部材を阻止状態から解放状態まで変化させるステップを含む、項目２５３に記載の方法。
（項目２５９）
リザーバおよびプランジャを含む薬剤カートリッジと併用するための注入ポンプアセンブリであって、
注入ポンプアセンブリは、
薬剤カートリッジ受容領域を有する筐体と、
該筐体内に位置し、該カートリッジ受容領域の内外に移動可能であるプランジャプッシャと、
摺動可能ラッチであって、該摺動可能ラッチは、該筐体と関連付けられ、第１の位置と第２の位置との間で移動可能であり、該第１の位置において、該薬剤カートリッジが該カートリッジ受容領域内に挿入され、かつそこから除去されることを防止することなく、該第２の位置において、該プッシャの少なくとも一部が該カートリッジ受容領域内にあるとき、該カートリッジ受容領域からの該薬剤カートリッジの除去を防止する、摺動可能ラッチと
を備える、アセンブリ。
（項目２６０）
前記摺動可能ラッチは、前記プッシャの少なくとも一部が前記薬剤カートリッジ内にあるとき、該摺動可能ラッチを前記第２の位置に付勢する付勢機構を含む、項目２５９に記載の注入ポンプアセンブリ。
（項目２６１）
前記付勢機構は、１つ以上のバネ、干渉隆起、または変形可能プラスチック部材を備える、項目２６０に記載の注入ポンプアセンブリ。
（項目２６２）
前記筐体は、搭載される内部当接壁を中に有し、前記付勢機構は、前記カートリッジ受容領域内の薬剤カートリッジが、該当接壁に対して押動されるように、該当接壁に向かって、前記摺動可能ラッチを付勢する、項目２６０に記載の注入ポンプアセンブリ。
（項目２６３）
前記摺動可能ラッチは、ラッチ陥凹および係止部材を含み、前記係止部材は、前記プッシャの一部が前記カートリッジ受容領域内にあるとき、該ラッチ陥凹内に配置される、項目２６０に記載の注入ポンプアセンブリ。
（項目２６４）
前記摺動可能ラッチは、
本体部材と、
一対の第１および第２の離間した脚部であって、該一対の第１および第２の離間した脚部は、該本体部材から延在し、相互に離間し、平行であり、かつ同一平面にあり、該第１の脚部は、第１の貫通穴を有し、該第２の脚部は、第２の貫通穴を有する、一対の第１および第２の離間した脚部と、
該第１の貫通穴を通る第１のロッドと、
該第１のロッドの周囲にあり、該第１の脚部に対して付勢される第１のコイルバネと、
該第２のロッドの周囲にあり、該第２の脚部に対して付勢される第２のコイルバネと
を含む、項目２５９に記載の注入ポンプアセンブリ。
（項目２６５）
プッシャ駆動機構をさらに備え、該プッシャ駆動機構は、モータと、遊星変速機と、横方向ギヤ列と、送りネジと、前記プッシャを該送りネジに動作可能に接続する係合部材とを含む、項目２５９に記載の注入ポンプアセンブリ。
（項目２６６）
前記係合部材は、ナットであり、前記プッシャは、前記送りネジによる該プッシャの回転を防止する構造を有し、該ナットは、該プッシャと一緒に成形されるか、または該構造に圧入される、項目２６５に記載の注入ポンプアセンブリ。
（項目２６７）
前記筐体は、前記カートリッジ受容領域の少なくとも一部と整列させられる上部表面開口部を有する、項目２５９に記載の注入ポンプアセンブリ。
（項目２６８）
リザーバおよびプランジャを含む薬剤カートリッジと併用するための注入ポンプアセンブリであって、
該注入ポンプアセンブリは、
筐体であって、該筐体は、該薬剤カートリッジを保持するように適合されるカートリッジ受容領域を有する、筐体と、
プランジャプッシャであって、該プランジャプッシャは、該筐体内に位置し、該カートリッジ受容領域の外側のホーム位置と該カートリッジ受容領域内の位置との間で移動可能である、プランジャプッシャと、
モータを含む駆動機構であって、該駆動機構は、該プランジャプッシャに動作可能に接続される、駆動機構と、
該プランジャプッシャに対して位置するスイッチであって、それにより、該スイッチは、該プランジャプッシャが、該プランジャプッシャの少なくとも一部が該カートリッジ受容領域内にある位置からホーム位置まで後退させられるとき、スイッチが作動される、スイッチと
を備える、アセンブリ。
（項目２６９）
前記スイッチに動作可能に接続されるコントローラをさらに備え、該コントローラは、前記プランジャプッシャが前記ホーム位置にあるとき、該スイッチから信号を受信する、項目２６８に記載の注入ポンプアセンブリ。
（項目２７０）
前記プランジャプッシャは、前方端部および後方端部を含み、
前記カートリッジ受容領域は、前記筐体内の区画によって画定され、該区画は、後方壁および開口部を有し、前記プッシャは、該開口部を通って移動可能であり、
前記スイッチは、該プランジャプッシャの該前方端部が、該区画開口部内にあるとき、該プランジャプッシャの該後方端部によって係合されるように位置付けられる、項目２６８に記載の注入ポンプアセンブリ。
（項目２７１）
前記カートリッジ受容領域は、前記筐体内の区画によって画定され、
前記駆動機構は、遊星変速機と、横方向ギヤ列と、送りネジとを含み、
該送りネジは、駆動ナットを介して前記プランジャプッシャに取着され、
前記モータ、該遊星変速機、および該横方向ギヤ列は、該区画の外部に位置付けられる、項目２６８に記載の注入ポンプアセンブリ。
（項目２７２）
リザーバおよびプランジャを含む薬剤カートリッジと併用するための注入ポンプアセンブリであって、
該注入ポンプアセンブリは、
薬剤カートリッジ受容領域を有する筐体と、
該カートリッジ受容領域の内外に移動可能であるプランジャプッシャと、
モータおよびコントローラを含み、該プランジャプッシャを駆動する駆動機構と、
コントローラであって、該コントローラは、（ａ）エンコーダから、該リザーバが空であることを示す、モータの所定の回転カウント数が生じたことを示す信号を受信した後に、または（ｂ）エンコーダ信号がないときに、該モータに、該プランジャプッシャを該カートリッジ受容領域から自動的に引き抜かせる、コントローラと
を備える、アセンブリ。
（項目２７３）
前記エンコーダは、前記プランジャプッシャが失速しているとき、または該プランジャプッシャの構造が前記駆動機構の一部の回転を阻止しているとき、前記モータが旋回していないことを示す、項目２７２に記載の注入ポンプアセンブリ。
（項目２７４）
前記駆動機構は、遊星変速機と、横方向ギヤ列とを含み、該横方向ギヤ列は、前記モータと送りネジとの間に動作可能にあり、前記プランジャプッシャを駆動する、項目２７２に記載の注入ポンプアセンブリ。
（項目２７５）
注入ポンプ装置であって、
該注入ポンプ装置は、
カートリッジ受容区画を有する筐体と、
リザーバおよびプランジャを有し、該カートリッジ受容区画内にある薬剤カートリッジと、
該筐体内のプランジャプッシャであって、該プランジャプッシャは、長手軸を画定し、ホーム位置および別の位置から移動可能であり、該ホーム位置は、該薬剤カートリッジが該プランジャプッシャの長手軸に略垂直な方向に、該カートリッジ受容区画内に挿入され、そこから除去されることを可能にし、別の位置においては、該プランジャプッシャの少なくとも一部が該薬剤カートリッジ内にある、プランジャプッシャと
を備える、装置。
（項目２７６）
前記筐体内の駆動機構をさらに備え、該駆動機構は、前記プランジャプッシャを前記プランジャに対して枢動させる、、項目２７５に記載の装置。
（項目２７７）
注入ポンプ装置であって、
注入ポンプ装置は、
注入ポンプアセンブリであって、該注入ポンプアセンブリは、プランジャプッシャと、モータを含む駆動機構とを中に有する筐体を含み、該駆動機構は、プッシャ軸に沿って該プランジャプッシャを移動させる、注入ポンプアセンブリと、
薬剤カートリッジであって、該薬剤カートリッジは、薬剤リザーバを画定するバレルと、該バレル内のプランジャとを含み、該薬剤カートリッジは、該プランジャプッシャがモータの動作によって該プランジャを押動させるよう位置付けられるように、該筐体内に位置付けられる、薬剤カートリッジと、
ラッチアセンブリであって、該ラッチアセンブリは、該プランジャプッシャの少なくとも一部が該カートリッジ内にあるとき、該薬剤カートリッジをプッシャ軸に直交する方向に該筐体から除去することを阻止する、ラッチアセンブリと
を備える、装置。
（項目２７８）
前記ラッチアセンブリは、ラッチ構成要素を含み、該ラッチ構成要素は、前記プランジャプッシャの少なくとも一部が前記カートリッジ内にあるとき、カートリッジ除去阻止位置にあり、該プランジャプッシャのいかなる部分も該カートリッジ内にないとき、非阻止位置に付勢される、項目２７７に記載の装置。
（項目２７９）
前記ラッチアセンブリは、前記ラッチ構成要素を前記非阻止位置に付勢するバネを含む、項目２７８に記載の装置。
（項目２８０）
前記ラッチアセンブリは、フランジ部分を含み、バネは、該フランジ部分と前記筐体に固定された構造との間に配置される、項目２７９に記載の装置。
（項目２８１）
前記構造は、剛性カートリッジシャーシである、項目２８０に記載の装置。
（項目２８２）
前記プランジャプッシャは、長手軸を画定し、前記ラッチアセンブリは、摺動ラッチテンショナを含み、該摺動ラッチテンショナは、該プランジャプッシャの該長手軸に対して摺動させ、前記ラッチ構成要素に対して押動し、該ラッチ構成要素を前記阻止位置に移動させる、項目２７８に記載の装置。
（項目２８３）
前記ラッチ構成要素およびプランジャプッシャは、別個の端部を含み、前記ラッチアセンブリは、該ラッチ構成要素の該端部から筐体構造に前方に延在するラッチ構成要素バネと、前記摺動ラッチテンショナから該プランジャプッシャの該端部に後方に延在するテンショナバネとを含む、項目２８０に記載の装置。
（項目２８４）
前記ラッチ構成要素の前記端部は、ラッチ構成要素フランジであり、前記プランジャプッシャの前記端部は、プッシャフランジである、項目２８３に記載の装置。
（項目２８５）
前記テンショナバネは、前記ラッチ構成要素バネよりも強力である、項目２８３に記載の装置。
（項目２８６）
前記テンショナバネおよび前記ラッチ構成要素バネは両方とも、前記ラッチ構成要素が、前記阻止位置に移動される際に、圧縮する、項目２８３に記載の装置。
（項目２８７）
前記ラッチ構成要素バネは、前記ラッチ構成要素を前記阻止位置から前記非阻止位置に付勢する、項目２８３に記載の装置。
（項目２８８）
前記ラッチ構成要素の前記前方端部は、前記阻止位置にあるときに、前記カートリッジの空洞内に配置され、それによって、該カートリッジの直交移動に抵抗する、項目２７７に記載の装置。
（項目２８９）
注入ポンプ装置であって、
該注入ポンプ装置は、
筐体を含む注入ポンプアセンブリと、
該筐体に取着され、開口部および底部表面接着剤を有するベースプレートと、
可動部材であって、該可動部材は、該ベースプレートが該接着剤によってユーザの皮膚に接着されると、該ユーザの皮膚によって第１の位置に押動され、該ベースプレートがそこへの取着後に、該ユーザの皮膚から少なくとも部分的に分離されると、該ベースプレートの開口部から外方に延在する第２の位置に付勢される、可動部材と、
アラームであって、該アラームは、該可動部材が該第２の位置に移動することに応答して起動されるように、該可動部材と関連付けられる、アラームと
を備える、装置。
（項目２９０）
コントローラと、
スイッチであって、該スイッチは、前記可動部材が前記第２の位置に移動すると作動され、作動に応答して信号を該コントローラに送信して、該アラームを起動させる、スイッチと
をさらに備える、項目２８９に記載の装置。
（項目２９１）
前記アラームは、前記筐体内にある、項目２８９に記載の装置。
（項目２９２）
前記可動部材は、コイルバネによって前記第２の位置に付勢される、項目２８９に記載の装置。
（項目２９３）
前記可動部材は、磁石によって前記第２の位置に付勢される、項目２８９に記載の装置。
（項目２９４）
前記ベースプレート上にあり、かつ前記開口部に近接する鋼鉄をさらに備え、前記磁石は、前記可動部材上にあり、該鋼鉄に磁気的に取着される、項目２９３に記載の装置。
（項目２９５）
コントローラと、
前記筐体内にあり、該コントローラに動作可能に接続されるホール効果センサまたは磁気抵抗センサであって、該ホール効果センサまたは磁気抵抗センサは、前記延在位置への前記可動部材の移動を検出し、信号を該コントローラに送信するように構成され、該コンとローラは、そのような検出に応答して、前記アラームを起動させる、ホール効果センサまたは磁気抵抗センサと
をさらに備える、項目２８９に記載の装置。
（項目２９６）
前記注入ポンプアセンブリ筐体は、カートリッジ受容領域を含む、項目２８９に記載の装置。
（項目２９７）
前記注入ポンプアセンブリは、プランジャプッシャと、該プランジャプッシャを駆動する駆動機構とを含む、項目２９６に記載の装置。
（項目２９８）
注入ポンプ装置であって、
該注入ポンプ装置は、
筐体を含む注入ポンプアセンブリと、
コントローラと、
アラームと、
該筐体に取着され、底部表面接着剤を有するベースプレートと、
ＲＦ回路であって、該ＲＦ回路は、伝送アンテナおよび受信アンテナを含み、該ＲＦ回路は、該ベースプレートがユーザの皮膚から少なくとも部分的に分離されたことを示す信号を該コントローラに送信するように構成される、ＲＦ回路と
を備え、該コントローラは、該信号に応答して該アラームを起動させる、装置。
（項目２９９）
前記伝送アンテナは、前記ベースプレートおよび前記筐体のうちの１つ内に搭載され、前記受信アンテナは、該ベースプレートおよび該筐体のうちの１つの中に搭載される、項目２９８に記載の装置。
（項目３００）
前記受信アンテナは、前記ベースプレートが前記ユーザの皮膚から分離される際に、受信される前記ＲＦ場の振幅が変化するように、前記伝送アンテナに対して位置付けられる、項目２９８に記載の装置。
（項目３０１）
前記受信アンテナおよび前記伝送アンテナは両方とも、前記ベースプレートのプレート内に埋設される、項目２９８に記載の装置。
（項目３０２）
前記ベースプレートは、少なくとも１つのラッチを含み、該少なくとも１つのラッチは、前記プレートを前記筐体に取着するために該プレートの側面に取着される、項目３０１に記載の装置。
（項目３０３）
前記ＲＦ回路は、ＲＦエネルギー源を含み、ＲＦエネルギーを前記伝送アンテナに伝送する、項目２９８に記載の装置。
（項目３０４）
前記ＲＦ回路は、少なくとも１つのＲＦ信号を前記伝送アンテナから受信するように適合される受信機と、該受信機からの信号を復調し、復調されたＲＦエンベロープを前記コントローラに伝送するように適合される検出器−復調器とを含む、項目２９８に記載の装置。
（項目３０５）
前記少なくとも１つの信号は、１０ｍＨｚを上回る、項目３０４に記載の装置。
（項目３０６）
前記検出器−復調器は、前記ＲＦ波形の同期復調を生じさせ、前記復調されたＲＦエンベロープ内の雑音を低減させる、項目３０４に記載の装置。
（項目３０７）
前記アラームは、前記筐体内に位置付けられる、項目２９８に記載の装置。
（項目３０８）
前記注入ポンプアセンブリ筐体は、カートリッジ受容領域を含む、項目２９８に記載の装置。
（項目３０９）
前記注入ポンプアセンブリは、プランジャプッシャと、該プランジャプッシャを駆動する駆動機構とを含む、項目３０８に記載の装置。
（項目３１０）
注入ポンプ装置であって、
該注入ポンプ装置は、
筐体を含む注入ポンプアセンブリと、
コントローラと、
アラームと、
該筐体に取着され、底部表面接着剤を有するベースプレートと、
電気回路であって、該電気回路は、第１の端子と、該第１の端子から離間した第２の端子とを含み、該電気回路は、該ベースプレートが該接着剤によって皮膚に接着されると、ユーザの皮膚によって該第１の端子と第２の端子との間に完成され、該ベースプレートが該ユーザの皮膚から分離されると、遮断され、該ベースプレートが該ユーザの皮膚から分離されると、信号を該コントローラに送信するように構成される、電気回路と
を備え、該コントローラは、該信号に応答して該アラームを起動させる、装置。
（項目３１１）
前記第１および第２の端子は両方とも、前記ベースプレートに取着される、項目３１０に記載の装置。
（項目３１２）
前記第１および第２の端子は両方とも、前記ベースプレートの底部表面に取着される、第１および第２の伝導性パッドを備える、項目３１０に記載の装置。
（項目３１３）
前記信号は、電圧信号であり、前記電気回路は、該電気回路の電流を電圧信号に変換するように構成される、項目３１０に記載の装置。
（項目３１４）
前記アラームは、前記筐体内にある、項目３１０に記載の装置。
（項目３１５）
前記注入ポンプアセンブリ筐体は、カートリッジ受容領域を含む、項目３１０に記載の装置。
（項目３１６）
前記注入ポンプアセンブリは、プランジャプッシャと、該プランジャプッシャを駆動する駆動機構とを含む、項目３１５に記載の装置。
（項目３１７）
リザーバを有する薬剤カートリッジと併用するための注入ポンプアセンブリであって、
該注入ポンプアセンブリは、
筐体であって、該筐体は、該薬剤カートリッジを挿入位置に保持するように適合されるカートリッジ区画を有する、筐体と、
該筐体内の流体変位デバイスと、
再充電可能バッテリであって、該再充電可能バッテリは、流体変位デバイスを駆動するように適合され、該筐体の中、かつ該カートリッジ区画の外側に搭載される、再充電可能バッテリと
を備える、アセンブリ。
（項目３１８）
前記薬剤カートリッジはプランジャを含み、
前記流体変位デバイスは、プランジャプッシャと、該プランジャプッシャに動作可能に接続されるモータを含む駆動機構とを備える、項目３１７に記載の注入ポンプアセンブリ。
（項目３１９）
前記カートリッジ区画の外側に配置される遊星変速機と、該カートリッジ区画の外側に配置される横方向ギヤ列と、送りネジと、前記プランジャプッシャを該送りネジに動作可能に接続する駆動ナットとをさらに備える、項目３１８に記載の注入ポンプアセンブリ。
（項目３２０）
温度センサであって、該温度センサは、前記薬剤カートリッジを挿入位置に有する前記薬剤リザーバ内の薬剤の温度または近似温度を感知するように位置付けられる、温度センサと、
コントローラであって、該コントローラは、該温度センサによる感知温度の関数として、前記再充電可能バッテリの再充電を変調するように構成される、コントローラと
をさらに備える、項目３１７に記載の注入ポンプアセンブリ。
（項目３２１）
前記コントローラは、バッテリ再充電デバイス内にあり、該バッテリ再充電デバイスは、挿入位置に前記薬剤カートリッジを有する前記筐体と別個であり、それに動作可能に取着可能である、項目３２０に記載の注入ポンプアセンブリ。
（項目３２２）
前記コントローラは、前記筐体内にあり、前記バッテリのための再充電デバイスは、該筐体と別個であり、再充電手順のためにそれに接続可能であり、該コントローラは、該再充電手順の間、データおよび／または命令から構成されるデジタル情報を該再充電デバイスと通信する、項目３２０に記載の注入ポンプアセンブリ。
（項目３２３）
前記コントローラは、前記温度センサが、所定の温度を上回り、閾値温度未満の温度を検出すると、前記再充電を変調させる、項目３２０に記載の注入ポンプアセンブリ。
（項目３２４）
前記閾値温度は、３６．６−３７．４℃であり、前記所定の温度は、４５から５０℃までの間にある、項目３２３に記載の注入ポンプアセンブリ。
（項目３２５）
前記コントローラは、前記筐体内にあり、前記バッテリは、該筐体の外部にある再充電デバイスによって再充電可能であり、該コントローラは、該再充電デバイスの動作を制御する、項目３２０に記載の注入ポンプアセンブリ。
（項目３２６）
前記バッテリに動作可能に接続され、前記筐体の外側からアクセス可能である再充電端子と、
該筐体に取着可能であり、該再充電端子と動作可能に通信する端子を有するベースプレートと
をさらに備える、項目３１７に記載の注入ポンプアセンブリ。
（項目３２７）
前記バッテリは、リチウムポリマーバッテリまたはリチウムイオンバッテリである、項目３１７に記載の注入ポンプアセンブリ。
（項目３２８）
前記バッテリは、完全に充電された４．１８−４．２４ボルトの開回路電圧を有する、項目３１７に記載の注入ポンプアセンブリ。
（項目３２９）
前記バッテリに動作可能に接続され、前記筐体によって支持される再充電接点をさらに備える、項目３１７に記載の注入ポンプアセンブリ。
（項目３３０）
前記再充電接点に動作可能に接続されるコントローラをさらに備え、該コントローラは、異なるレジスタ値を有する異なるベースプレートにおけるレジスタ値を測定することにより、前記筐体に取着された該ベースプレートを識別するように構成される、項目３２９に記載の注入ポンプアセンブリ。
（項目３３１）
前記筐体は、患者へのベースプレート取着部から取り外し可能であり、次いで、前記再充電接点を介して前記バッテリを再充電するための外部再充電デバイスに動作可能に取着可能である、項目３３０に記載の注入ポンプアセンブリ。
（項目３３２）
薬剤カートリッジ、カートリッジ貯蔵領域を有する筐体と、流体変位デバイスと、該流体変位デバイスと関連付けられる再充電可能バッテリと、バッテリ再充電端子とを有する注入ポンプアセンブリ、およびベースプレートを含むシステムと併用するためのバッテリ再充電方法であって、
該方法は、
該カートリッジ貯蔵領域内に該薬剤カートリッジを有する該注入ポンプアセンブリと、
該筐体に固着された該ベースプレートとを含む組み立てられたデバイスから、該ベースプレートから注入ポンプアセンブリ筐体を除去するステップと、
該除去ステップの後に、該再充電端子を再充電デバイスに接続するステップと、
該筐体内の該再充電可能バッテリを再充電するステップと
を備える、方法。
（項目３３３）
前記再充電可能バッテリを再充電するステップは、前記薬剤カートリッジ内の薬剤の感知または近似された温度の関数として、前記再充電を変調するステップを備える、項目３３２に記載の方法。
（項目３３４）
前記再充電可能バッテリを再充電するステップは、前記再充電デバイス内の集積回路によって、前記再充電の間、該再充電可能バッテリに印加される電流の量を管理するステップを備える、項目３３２に記載の方法。
（項目３３５）
カニューレが前記ベースプレートに取着され、前記除去ステップが該ベースプレートへの該カニューレの取着を維持するステップを含む、項目３３２に記載の方法。
（項目３３６）
前記カニューレは、該カニューレを前記ベースプレートの底部表面およびヘッド部分に固着するための固着機構を有し、前記除去ステップは、該ヘッド部分が、該ベースプレートから上向きに延在するように、該固着機構によって該ベースプレートへの該カニューレの取着を維持するステップを含む、項目３３５に記載の方法。
（項目３３７）
前記薬剤カートリッジは、貫通孔を有し、前記除去ステップは、該貫通孔内に前記ヘッド部分を維持するステップを含む、項目３３６に記載の方法。
（項目３３８）
注入ポンプシステムであって、
該注入ポンプシステムは、
筐体と、ベースプレートと、カニューレとを含むアセンブリと、
薬剤リザーバと、流体変位デバイスと、該流体変位デバイスのための再充電可能バッテリとを中に含む該筐体と、
バッテリ再充電ユニットと、
コントローラと
を備え、該筐体は、該ベースプレートおよびカニューレから分離可能であり、このとき、該カニューレは、該ベースプレートに固着されたままそこから外方に延在して、該筐体は分離状態にあり、
該筐体は、該分離状態にあるとき、該バッテリ再充電ユニットに動作可能に接続可能であることにより、該筐体内の該バッテリの該バッテリ再充電ユニットによる再充電が、該コントローラによって制御される、システム。
（項目３３９）
前記コントローラは、前記筐体内に位置付けられる、項目３３８に記載のシステム。
（項目３４０）
前記コントローラは、前記バッテリ再充電ユニット内に位置付けられる、項目３３８に記載のシステム。
（項目３４１）
前記筐体内にあり、前記リザーバ内の薬剤の温度または近似温度を感知するように位置付けられる温度センサをさらに備え、
前記コントローラは、該温度センサによって感知された該温度の関数として、前記再充電可能バッテリの再充電を前記バッテリ再充電ユニットによって変調させるように構成される、項目３３８に記載のシステム。
（項目３４２）
前記温度センサは、前記筐体内の電子コントローラアセンブリ上にある、項目３４１に記載のシステム。
（項目３４３）
前記コントローラは、前記温度センサが、所定の温度を上回り、閾値温度未満の温度を検出すると、前記再充電を変調する、項目３４１に記載のシステム。
（項目３４４）
前記閾値温度は、３６．６−３７．４℃であり、前記所定の温度は、４５から５０℃までの間にある、項目３４３に記載のシステム。
（項目３４５）
前記リザーバは、プランジャを含む薬剤カートリッジ内に位置し、
前記流体変位デバイスは、プランジャプッシャと、該プランジャプッシャに動作可能に接続される、モータを含む駆動機構とを備える、項目３３８に記載の注入ポンプアセンブリ。
（項目３４６）
リザーバおよびプランジャを含む薬剤カートリッジと併用するための注入ポンプアセンブリであって、
該アセンブリは、
カートリッジ受容領域を含む筐体と、
該筐体内にあり、該カートリッジ受容領域の内外に移動するように適合されるプランジャプッシャと、
シャフトおよびコイルを有し、該プッシャに動作可能に接続されるステッパモータと、
該モータシャフトに動作可能に接続され、シャフト位置を表すエンコーダ出力を生成するエンコーダと、
該筐体内にあり、該モータに動作可能に接続されるバッテリと、
バッテリ電圧のデジタル表現であるＡ／Ｄコンバータ出力を生成するアナログ／デジタル（Ａ／Ｄ）コンバータと、
コントローラであって、該コントローラは、（ａ）ドライバ回路を介して、該モータの動作を制御し、該モータコイルに印加される該バッテリからのエネルギーをパルス幅変調するように動作し、（ｂ）該エンコーダ出力を読み取り、（ｃ）該Ａ／Ｄコンバータ出力を読み取る、コントローラと
を備える、アセンブリ。
（項目３４７）
前記カートリッジプランジャは、シールを含み、前記コントローラは、下限と上限とを有する範囲内に前記エネルギーをパルス幅変調し、該下限は、十分なトルクを提供し、カートリッジ摩擦を克服し、前記プランジャを移動させ、該上限は、前記リザーバ内の過剰圧力に起因する該プランジャシールを越える漏出を生じさせないように、十分に低い、項目３４６に記載の注入ポンプアセンブリ。
（項目３４８）
前記ドライバ回路は、前記コントローラからの低電力制御信号を前記モータコイルのためのより高い電流に変換する、項目３４６に記載の注入ポンプアセンブリ。
（項目３４９）
前記バッテリは、再充電可能リチウムポリマーまたは再充電可能リチウムイオンバッテリである、項目３４６に記載の注入ポンプアセンブリ。
（項目３５０）
前記モータは、コイルドライバを含み、
前記コントローラは、第１のソフトウェアアルゴリズムを有するメモリを含み、該第１のソフトウェアアルゴリズムは、前記エンコーダ出力を使用して、該コントローラ内の第１のデジタルタイマ／カウンタ回路をプログラムすることにより、該コイルドライバが、前記モータコイルにおける変調電流を促進して、該モータの所望の回転を産生することを可能にする低レベル信号出力を提供するように適合される、項目３４６に記載の注入ポンプアセンブリ。
（項目３５１）
前記第１のソフトウェアアルゴリズムは、（１）前記エンコーダを読み取ることによって、前記モータシャフトの位置を決定するステップと、（２）モータ回転の方向を決定するステップと、（３）所望される回転数を決定するステップと、（４）＋または−のいずれかのコイル相ＡおよびＢを駆動することによって、前記モータをステッピングするステップと、（５）該所望の回転数が、該エンコーダから読み取られるまで、通常負荷によって移動を保証するレートでステップ（４）を反復するステップとを含む、項目３５０に記載の注入ポンプアセンブリ。
（項目３５２）
前記第１のソフトウェアアルゴリズムは、ステップ（４）および（５）が、前記第１のデジタルタイマ／カウンタ回路によって行われるステップを含み、前記出力は、前記コイルドライバに接続される一方、前記コントローラは、前記エンコーダ出力を読み取る、項目３５１に記載の注入ポンプアセンブリ。
（項目３５３）
前記コントローラメモリは、第２のソフトウェアアルゴリズムを含み、該第２のソフトウェアアルゴリズムは、前記Ａ／Ｄコンバータ出力を使用して、前記コントローラ内の第２のデジタルタイマ／カウンタ回路をプログラムすることにより、前記コイルドライバが、前記コイルの電圧の前記パルス幅変調を促進させることをさらに可能にする低レベル信号出力を提供する、項目３５０に記載の注入ポンプアセンブリ。
（項目３５４）
前記第２のソフトウェアアルゴリズムは、（ａ）所望される前記有効モータコイル電圧（Ｖｅｆｆ）を決定するステップと、（ｂ）前記Ａ／Ｄコンバータ出力（Ｖｂａｔｔ）を読み取るステップと、（ｃ）Ｖｅｆｆ／Ｖｂａｔｔを計算するステップと、（ｄ）前記第２のデジタルカウンタ／タイマ回路をプログラムして、ステップ（５）におけるレートの１０から１００倍までのレートの周波数において、Ｖｅｆｆ／Ｖｂａｔｔのデューティサイクルを有するデジタルパルス波形を出力するステップとを含む、項目３５３に記載の注入ポンプアセンブリ。
（項目３５５）
前記第２のソフトウェアアルゴリズムは、両モータコイルドライバのためのグローバルイネーブル信号である前記第２のデジタルタイマ回路の出力を含み、前記第２のタイマの出力は、前記ドライバが駆動前記コイルに対して前記選択されたレベルを駆動することを可能にされるとき、それを決定するゲート信号である、項目３５４に記載の注入ポンプアセンブリ。
（項目３５６）
前記第２のソフトウェアアルゴリズムは、前記コイル相ＡおよびＢが＋Ｖｂａｔｔで駆動されるが、Ｖｅｆｆ／Ｖｂａｔｔのデューティサイクルでオンオフをもたし、該オンオフのレートは、前記ドライバが前記コイル相の極性を切り替えて、前記電流が、全バッテリ電圧が回転時間の１００％、前記コイルに印加される場合に使用されるであろう電流の量のＶｅｆｆ／Ｖｂａｔｔ倍に限定されるように、前記モータを回転させる規定されたシーケンス処理を行うであろうレートよりも高い、項目３５０に記載の注入ポンプアセンブリ。
（項目３５７）
リザーバおよびカートリッジセンサ要素を含む薬剤カートリッジと併用するための注入ポンプアセンブリであって、
該アセンブリは、
薬剤カートリッジ受容領域を有する筐体と、
流体変位デバイスと、
該流体変位デバイスを駆動する駆動機構と、
受容領域センサであって、該受容領域センサは、該カートリッジセンサ要素が該カートリッジ受容領域内の所定の場所にあるときを感知する、受容領域センサと、
該センサに動作可能に接続されるコントローラであって、該コントローラは、該受容領域センサが該カートリッジセンサ要素が該所定の場所にあることを感知しない限り、該駆動機構が該流体変位デバイスを駆動しないように防止する、コントローラと
を備える、アセンブリ。
（項目３５８）
前記受容領域センサは、ホール効果センサまたは磁気抵抗センサである、項目３５７に記載の注入ポンプアセンブリ。
（項目３５９）
前記受容領域センサは、インダクタンスを有するコイルを含み、該インダクタンスは、磁気透過性材料がそれに対して移動されると変化する、項目３５７に記載の注入ポンプアセンブリ。
（項目３６０）
前記受容領域センサは、電気スイッチの一部を形成する、項目３５７に記載の注入ポンプアセンブリ。
（項目３６１）
前記受容領域センサは、光学センサである、項目３５７に記載の注入ポンプアセンブリ。
（項目３６２）
前記薬剤カートリッジは、プランジャを含み、
前記流体変位デバイスは、プランジャプッシャを含み、
前記駆動機構は、モータを含む、
項目３５７に記載の注入ポンプアセンブリ。
（項目３６３）
前記コントローラは、前記受容領域センサが、前記カートリッジセンサ要素が前記受容領域内にあることを感知するか否かにかかわらず、プッシャ後退コマンドが遠隔制御から受信されると、前記プランジャプッシャを後退させるように構成される、項目３６２に記載の注入ポンプアセンブリ。
（項目３６４）
前記コントローラは、該コントローラが、空のカートリッジが前記受容領域内にあることを決定すると、前記プランジャプッシャを自動的に完全後退ホーム位置に後退させるように構成される、項目３６３に記載の注入ポンプアセンブリ。
（項目３６５）
注入ポンプ装置であって、
該注入ポンプ装置は、
リザーバおよびカートリッジセンサ要素を含む薬剤カートリッジと、
注入ポンプアセンブリと
を備え、該注入ポンプアセンブリは、
薬剤カートリッジ受容領域を有する筐体と、
流体変位デバイスと、
該流体変位デバイスを駆動する駆動機構と、
該カートリッジセンサ要素が該カートリッジ受容領域内の所定の場所にあるときに、それを感知する受容領域センサと、
該センサに動作可能に接続されるコントローラであって、該コントローラは、該受容領域センサが該カートリッジセンサ要素が該所定の場所にあることを感知しない限り、該駆動機構が該流体変位デバイスを駆動することを防止する、コントローラと
を含む、装置。
（項目３６６）
前記カートリッジセンサ要素は、磁石を含み、前記受容領域センサは、ホール効果センサまたは磁気抵抗センサである、項目３６５に記載の装置。
（項目３６７）
前記カートリッジセンサ要素は、磁気透過性材料を備え、
前記受容領域センサは、インダクタンスを有するコイルを含み、該インダクタンスは、該磁気透過性材料が、それに対して移動されると変化する、項目３６５に記載の装置。
（項目３６８）
前記カートリッジセンサ要素および前記受容領域センサはともに、電気スイッチを画定する、項目３６５に記載の装置。
（項目３６９）
前記カートリッジセンサ要素は、可撓性ダイヤフラムと、該可撓性ダイヤフラムに取着された磁石とを含む、項目３６５に記載の装置。
（項目３７０）
前記カートリッジセンサ要素は、光学要素を含み、前記受容領域センサは、光学センサである、項目３６５に記載の装置。
（項目３７１）
前記薬剤カートリッジは、バレルと、該バレルに接続されるマニホールドとを含み、該マニホールドは、貫通孔を有し、前記カートリッジセンサ要素を支持する、項目３６５に記載の装置。
（項目３７２）
前記カートリッジセンサ要素は、外筒を有するダイヤフラムと、該外筒内に保持される磁石と、保定リングとを含む、項目３６５に記載の装置。
（項目３７３）
前記薬剤カートリッジは、プランジャを含み、
前記流体変位デバイスは、プランジャプッシャを含み、
前記駆動機構は、モータを含む、
項目３６５に記載の注入ポンプ装置。
（項目３７４）
前記コントローラは、前記受容領域センサが、前記カートリッジセンサ要素が前記受容領域内にあることを感知するか否かにかかわらず、プッシャ後退コマンドが遠隔制御から受信されると、前記プッシャを後退させるように構成される、項目３７３に記載の装置。
（項目３７５）
前記コントローラは、該コントローラが、空のカートリッジが前記受容領域内にあることを決定すると、前記プッシャを自動的に完全後退ホーム位置に後退させるように構成される、項目３７４に記載の装置。
（項目３７６）
注入ポンプアセンブリであって、
該アセンブリは、
薬剤リザーバおよびプランジャを中に有する筐体と、
プランジャプッシャと、
ステッパモータおよびエンコーダによって、該プランジャプッシャを駆動する駆動機構と、
該モータおよびエンコーダに動作可能に接続されるコントローラと
を備え、該コントローラは、該モータに、複数の分注動作を有する薬剤分注プログラムに従って、該プッシャを該プランジャに対して推進させるように構成され、
該コントローラは、該分注動作のうちの少なくとも１つのために、該モータに、該モータに送達される波形の周波数を徐々に低下させることによって、該モータの一定の正の制御を維持し、それによって、該モータが行うべき旋回数を精密に制御することによって、プッシャが速度を推進することを停止させ、したがって、該薬剤リザーバからの正確な制御された薬剤分注の提供が停止する前に、該プランジャプッシャが精密な距離だけ前進するように構成される、アセンブリ。
（項目３７７）
前記プランジャプッシャ、駆動機構、エンコーダ、およびコントローラは、前記筐体内に担持される、項目３７６に記載の注入ポンプアセンブリ。
（項目３７８）
注入装置を動作させる方法であって、該注入装置は、薬剤リザーバを画定するバレルと、該バレルとプランジャとの間に静的および動的摩擦が存在するように該バレル内に少なくとも１つのシールを有するプランジャと、プランジャプッシャと、トルクを提供することによって該プランジャプッシャを駆動するモータとを含み、該方法は、
該モータによって、該プランジャに対して該プッシャを推進するステップと、
該モータトルクが下限と上限とを有する範囲内に連続的にあるように、該トルクを制御するステップであって、該下限は、カートリッジ破断力および走行力を克服して該プランジャを移動させるために十分であり、該上限は、該リザーバ内の過剰圧力に起因する、該プランジャの該シールを越えた漏出を生じさせないために十分に低い、ステップと
を備える、方法。
（項目３７９）
前記注入装置は、一定電流源を含み、前記モータは、コイルを含み、前記モータトルクを制御するステップは、該一定電流源を使用することによって、該モータコイルに印加される電流を制限するステップを含む、項目３７８に記載の方法。
（項目３８０）
前記注入装置は、一定電圧源を含み、前記モータは、コイルを含み、前記モータトルクを制御するステップは、該一定電圧源を使用することによって、該モータコイルに印加される電流を制限するステップを含む、項目３７８に記載の方法。
（項目３８１）
前記注入装置は、プログラマブル線形電圧調整器を含み、前記モータトルクを制御するステップは、該線形電圧調整器によって電流を制限するステップを含む、項目３８０に記載の方法。
（項目３８２）
前記注入装置は、プログラマブルスイッチング電圧調整器を含み、前記モータトルクを制御するステップは、該スイッチング電圧調整器によって電流を制限するステップを含む、項目３８０に記載の方法。
（項目３８３）
電流を制限するステップは、パルス幅変調制御を前記モータコイルに適用するステップを含む、項目３８０に記載の方法。
（項目３８４）
前記モータは、制御されないとき、前記上限を少なくとも１０または２０％だけ超えるトルクを提供する能力を有する、項目３７８に記載の方法。
（項目３８５）
前記注入装置は、電子駆動装置を含み、前記モータトルクを制御するステップは、該電子駆動装置によって、モータトルクを制御するステップを備える、項目３７８に記載の方法。
（項目３８６）
前記注入装置は、バッテリを含み、前記プッシャを推進するステップは、該バッテリから前記モータにエネルギーを印加するステップを含み、前記モータトルクを制御するステップは、該バッテリから該モータに印加されるエネルギーをパルス幅変調するステップを含む、項目３７８に記載の方法。
（項目３８７）
前記注入装置は、デジタル／アナログコンバータを含み、前記モータトルクを制御するステップは、デジタル／アナログコンバータベースの電圧制御を含む、項目３７８に記載の方法。
（項目３８８）
前記注入装置は、デジタル分圧器を含み、前記モータトルクを制御するステップは、デジタル分圧器ベースの電圧制御を含む、項目３７８に記載の方法。
（項目３８９）
前記モータトルクを制御するステップは、次のプッシャ手順：前記プランジャに対する後退、ホーム位置復帰、零圧調整、および稼働のうちの１つ、一部、または全部の間に行われる、項目３７８に記載の方法。
（項目３９０）
モータトルクを制御するステップは、前記モータに給電する、前記注入ポンプアセンブリのバッテリ上のドレインを最小にする方法で行われる、項目３７８に記載の方法。
（項目３９１）
前記範囲は、１から１２ｍＮｍまでの間にある、項目３７８に記載の方法。
（項目３９２）
システムであって、
該システムは、
薬剤リザーバと、該薬剤リザーバに接続され、貫通孔を有するマニホールドとを有する薬剤カートリッジと、
該薬剤カートリッジを受容するように構成される注入ポンプアセンブリと、
ベースプレートであって、該ベースプレートは、ベースプレート開口部および底部表面接着剤を有し、該注入ポンプアセンブリに固着されるように構成される、ベースプレートと、
カニューレであって、該カニューレは、該薬剤カートリッジが該注入ポンプアセンブリ内の適所にあり、該ベースプレートが、該注入ポンプアセンブリに取着されると、該貫通孔および該ベースプレート開口部を通して挿入位置まで挿入されるように定寸される、カニューレと
を備え、該ベースプレートおよび該カニューレは、該カニューレが挿入位置に到達すると、該ベースプレートおよび該カニューレが相互に固着され、該注入ポンプアセンブリが続いて該ベースプレートから除去されると、相互に固着されたままであるように、それぞれ構成される、システム。
（項目３９３）
前記カニューレは、少なくとも１つのラッチを含み、前記ベースプレートは、該少なくとも１つのラッチのために、前記ベースプレート開口部に陥凹付き領域を有する底部表面を有する、項目３９２に記載のシステム。
（項目３９４）
前記カニューレおよび前記ベースプレートのうちの少なくとも１つは、ラッチを含む、項目３９２に記載のシステム。
（項目３９５）
前記接着剤は、第１および第２の接着剤を含み、該第１の接着剤は、前記ベースプレート開口部に隣接し、該第２の接着剤よりもヒトの皮膚に強力に接着し、該第２の接着剤は、前記ベースプレート開口部からある距離だけ離間している、項目３９２に記載のシステム。
（項目３９６）
前記第１の接着剤は、前記第２の接着剤の剥離強度よりも少なくとも２０％上回る剥離強度を有する、項目３９５に記載のシステム。
（項目３９７）
前記第１の接着剤は、概して、前記ベースプレート開口部から．７５から１．２５ミリメートルまで延在し、前記ベースプレートの隣接する隅部から膨隆し、それと交差する領域を画定する、項目３９５に記載のシステム。
（項目３９８）
前記第１の接着剤は、前記ベースプレートの底部表面の約１から１０％までを被覆する、項目３９５に記載のシステム。
（項目３９９）
前記薬剤カートリッジは、薬剤リザーバを画定するバレルと、該バレル内のプランジャとを含み、
前記マニホールドは、該バレルに接続される、項目３９２に記載のシステム。
（項目４００）
システムであって、
該システムは、
リザーバおよびマニホールド貫通孔を有する薬剤カートリッジと、
ポンプアセンブリであって、該ポンプアセンブリは、薬剤カートリッジ受容領域、底部表面、および該受容領域と関連付けられた底部表面開口部を有する筐体と、流体変位デバイスと、該流体変位デバイスを駆動する駆動機構とを含む、ポンプアセンブリと、
ベースプレート開口部を有し、該ポンプアセンブリに固着されるように構成されるベースプレートと、
該マニホールド貫通孔および該ベースプレート開口部内に挿入されるように定寸されるカニューレと
を備え、該薬剤カートリッジ、ポンプアセンブリ、およびベースプレーは、該ベースプレートが、該カートリッジ受容領域内に該薬剤カートリッジを有する該ポンプアセンブリに固着されると、該ベースプレートが該底部表面開口部を被覆し、該ベースプレート開口部が該マニホールド貫通孔と整列させられるように、それぞれ構成される、システム。
（項目４０１）
前記ベースプレートは、底部表面を含み、
前記システムは、
該ベースプレートの該底部表面上の接着剤と、
該接着剤にわたる取り外し可能カバーと、
挿入ツールであって、該挿入ツールは、前記カートリッジマニホールド貫通孔の中に送達位置まで駆動するように構成され、該送達位置において、前記カニューレの一部が前記ベースプレート開口部を通して、患者の身体の中に延在する、挿入ツールと
をさらに備える、項目４００に記載のシステム。
（項目４０２）
前記ベースプレートは、底部表面を含み、
前記システムは、
該ベースプレートの底部表面上の第１および第２の接着剤をさらに備え、該第１の接着剤は、前記開口部に隣接し、該第２の接着剤よりもヒトの皮膚に強力に接着し、および該第２の接着剤は、該開口部からある距離だけ離間している、項目４００に記載のシステム。
（項目４０３）
前記第１の接着剤は、前記第２の接着剤の剥離強度を少なくとも２０％上回る剥離強度を有する、項目４０２に記載のシステム。
（項目４０４）
前記ベースプレートおよび前記カニューレは、該ベースプレートおよび該カニューレが、該カニューレが送達位置に到達すると相互に固着されるように、それぞれ構成される、項目４００に記載のシステム。
（項目４０５）
前記カニューレは、前記ベースプレート底部表面上に掛止するように構成される少なくとも１つのラッチを含む、項目４０４に記載のシステム。
（項目４０６）
前記カニューレは、ヘッド部分を含み、
前記システムは、固着手段をさらに備え、
該固定手段は、該カニューレを前記ベースプレートに固着することにより、前記筐体およびその中の薬剤カートリッジは、該カニューレの該ヘッド部分が、該ベースプレートに固着されたままであり、そこから上方に延在する状態で、該ベースプレートから除去されることができる、項目４００に記載のシステム。
（項目４０７）
前記薬剤カートリッジに搭載される磁石と、
前記筐体内かつ該薬剤カートリッジの外側に搭載されるホール効果センサまたは磁気抵抗センサと
をさらに備える、項目４００に記載のシステム。
（項目４０８）
コントローラをさらに備え、
前記ホール効果センサまたは前記磁気抵抗センサは、挿入位置において前記薬剤カートリッジが前記磁石の近傍に存在することを検出し、該薬剤カートリッジが前記筐体内に動作可能に位置付けられていることを該コントローラに示す信号を送信する、項目４０７に記載のシステム。
（項目４０９）
前記薬剤カートリッジは、可撓性ダイヤフラムを含み、
前記磁石は、該可撓性ダイヤフラムに取着され、該可撓性ダイヤフラムに作用する閉塞圧力によって移動可能であり、
前記ホール効果センサまたは前記磁気抵抗センサは、該閉塞圧力によって該磁石の移動を検出し、それによって前記システムの流体路内に閉塞が存在するか否かを検出するように適合される、項目４０７に記載のシステム。
（項目４１０）
前記薬剤カートリッジに搭載される磁気透過性材料と、
前記筐体内に搭載されるコイルと
をさらに備え、該コイルに対する前記磁気透過性材料の移動は、該コイルのインダクタンスを変化させる、項目４００に記載のシステム。
（項目４１１）
前記薬剤カートリッジは、プランジャを含み、
前記流体変位デバイスは、プランジャプッシャを備える、項目４００に記載のシステム。
（項目４１２）
開口部を有する注入ポンプベースプレートと併用するための注入ポンプカニューレであって、
該注入ポンプカニューレは、
底部開口部と、側面開口部と、該側面開口部と底部開口部との間の薬剤流体路と、該側面開口部上方の上側密閉デバイスと、該側面開口部下方の下側密閉デバイスとを有するカニューレヘッドと、
該カニューレヘッドに接続され、該薬剤流体路と流体連通するカニューレと
を備え、該カニューレヘッドおよび／または該カニューレは、該注入ポンプカニューレを該注入ポンプベースプレート内の該開口部に固着するように構成される、カニューレ。
（項目４１３）
前記カニューレヘッドおよび前記カニューレチューブは、単一片として一緒に一体的に形成される、項目４１２に記載の注入ポンプカニューレ。
（項目４１４）
前記カニューレヘッドおよび前記カニューレチューブは両方とも、ＦＥＰから形成される、項目４１２に記載の注入ポンプカニューレ。
（項目４１５）
前記カニューレヘッドおよび／または前記カニューレは、少なくとも１つのラッチを含む、項目４１２に記載の注入ポンプカニューレ。
（項目４１６）
前記上側密閉デバイスは、圧縮性密閉リングであり、前記下側密閉デバイスは、圧縮性密閉リングである、項目４１２に記載の注入ポンプカニューレ。
（項目４１７）
前記カニューレヘッドは、長さが６．８−７．２ｍｍであり、３．９−４．１ｍｍの直径を有し、前記カニューレチューブは、長さが６．７−７．３ｍｍ、．４−．６ｍｍの外径、および．１５−．２５ｍｍの内径を有する、項目４１２に記載の注入ポンプカニューレ。
（項目４１８）
前記カニューレチューブは、前記注入ポンプカニューレを前記注入ポンプベースプレート内の前記開口部に固着するように構成される、項目４１２に記載の注入ポンプカニューレ。
（項目４１９）
前記カニューレヘッドは、前記注入ポンプカニューレを前記注入ポンプベースプレート内の前記開口部に固着するように構成される、項目４１２に記載の注入ポンプカニューレ。
（項目４２０）
前記カニューレヘッドおよび前記カニューレは、２つの異なる材料の２つの別個の片から形成される、項目４１２に記載の注入ポンプカニューレ。
（項目４２１）
前記カニューレヘッドは、その上部端部に隔壁を有する、項目４１２に記載の注入ポンプカニューレ。
（項目４２２）
前記カニューレヘッドは、その上部端部に隔壁を有していない、項目４１２に記載の注入ポンプカニューレ。
（項目４２３）
リザーバを有する薬剤カートリッジと併用するための装置であって、
該装置は、注入ポンプアセンブリとベースプレートとを備え、
該注入ポンプアセンブリは、
薬剤カートリッジ受容領域と、底部開口部と、筐体電気接点とを有する筐体と、
流体変位デバイスと、
該流体変位デバイスを駆動する駆動機構と、
該筐体と関連付けられ、該薬剤カートリッジが該カートリッジ受容領域内に挿入され、そこから除去されないように防止しない非掛止位置と、該カートリッジ受容領域からの該薬剤カートリッジの除去を防止する掛止位置との間を移動可能であり、突出部分を有する摺動可能ラッチとを含み、
該ベースプレートは、該筐体底部開口部を少なくとも部分的に被覆するように構成され、上側表面と、該上側表面上の陥凹付き領域と、ベースプレート電気接点とを有し、
該注入ポンプアセンブリおよびベースプレートは、（１）該ベースプレートおよび筐体が、該筐体電気接点と電気接触する該ベースプレート電気接点と相互に取着可能であり、（２）該ベースプレートおよび筐体が該摺動可能ラッチが該掛止位置にあり、該突出部分が該陥凹付き領域と噛合するときにのみ、相互に取着され得るようにそれぞれ構成される、装置。
（項目４２４）
前記注入ポンプアセンブリは、コントローラを含み、該コントローラは、どのタイプのベースプレートが前記筐体に取着されているかを決定し、該取着されるベースプレートのタイプに対応するモードにおいて、前記駆動機構を動作させる、項目４２３に記載の装置。
（項目４２５）
前記ベースプレートは、前記筐体に取り外し可能に取着する、ベースプレートラッチを含む、項目４２３に記載の装置。
（項目４２６）
前記筐体は、長手軸を画定し、前記突出部分は、該筐体の長手軸と平行に配向される、フィンガ作動可能部分である、項目４２３に記載の装置。
（項目４２７）
前記ベースプレート電気接点は、バスプレート電気接触対を備え、前記筐体電気接点は、筐体電気接触対を備える、項目４２３に記載の装置。
（項目４２８）
前記薬剤カートリッジは、プランジャを含み、
前記流体変位デバイスは、プランジャプッシャを含む、項目４２３に記載の装置。
（項目４２９）
リザーバを有する薬剤カートリッジと併用するための装置であって、
該装置は、
薬剤カートリッジ受容領域を有する筐体と、該筐体内の流体変位デバイスと、該流体変位デバイスに動作可能に接続される駆動機構とを含む注入ポンプアセンブリと、
ベースプレートであって、該ベースプレートは、該筐体に取着可能であり、底部表面およびカニューレ開口部を画定し、該カニューレ開口部に隣接する該底部表面上に第１の接着剤と、該底部表面上にあり、該カニューレ開口部からある距離だけ離間している第２の接着剤とを含み、該第１の接着剤は、該第２の接着剤よりもヒトの皮膚に強力に接着する接着剤である、ベースプレートと
を備える、装置。
（項目４３０）
前記第１の接着剤は、前記第２の接着剤の剥離強度を少なくとも２０％上回る剥離強度を有する、項目４２９に記載の装置。
（項目４３１）
前記第１の接着剤は、前記カニューレ開口部から概して、．７５から１．２５ミリメートルまで延在し、前記ベースプレートの隣接する隅部から膨隆し、それと交差する領域を画定する、項目４２９に記載の装置。
（項目４３２）
前記第１の接着剤は、前記ベースプレートの底部表面の約１から１０％までの間を被覆する、項目４２９に記載の装置。
（項目４３３）
前記薬剤カートリッジは、プランジャを含み、
前記流体変位デバイスは、プランジャプッシャを含み、
前記駆動機構は、モータを含む、項目４２９に記載の装置。
（項目４３４）
リザーバを有する薬剤カートリッジと併用するための装置であって、
該装置は、
注入ポンプアセンブリであって、該注入ポンプアセンブリは、
カートリッジ受容領域を有する筐体と、
該筐体内の流体変位デバイスと、
該流体変位デバイスに動作可能に接続される駆動機構と
を含む、注入ポンプアセンブリと、
ベースプレートであって、該ベースプレートは、
上部開口部と、縁開口部と、該上部開口部と該縁開口部との間のベースプレート流体路とを有するプレート部材と、
該縁開口部において、該流体路の端部と通信する管類と、
該カートリッジ受容領域内に開口部を有するコネクタであって、該カートリッジ受容領域は、該カートリッジ受容領域と該ベースプレート流体路との間の流体路の少なくとも一部を画定する、コネクタと
を含む、ベースプレートと
を備える、装置。
（項目４３５）
前記管類は、注入セットに接続する、項目４３４に記載の装置。
（項目４３６）
前記ベースプレートは、長さが３９．０−４３．０ｍｍであり、幅が３１．０−３５．０ｍｍである、項目４３４に記載の装置。
（項目４３７）
前記薬剤カートリッジは、プランジャを含み、
前記流体変位デバイスは、プランジャプッシャを含み、
前記駆動機構は、モータを含む、項目４３４に記載の装置。
（項目４３８）
リザーバを有する、薬剤カートリッジと、
項目４３４〜４３６のうちのいずれか一項に記載の装置と
を備える、システム。
（項目４３９）
前記薬剤カートリッジ、注入ポンプアセンブリ、およびベースプレートは、該薬剤カートリッジが前記カートリッジ受容領域内にあり、該ベースプレートが該注入ポンプアセンブリと接続されると、前記ベースプレートコネクタの少なくとも一部が該薬剤カートリッジの一部内にあるようにそれぞれ構成される、項目４３８に記載のシステム。
（項目４４０）
前記薬剤カートリッジは、前記リザーバと連通する貫通孔を含み、
注入ポンプアセンブリおよびベースプレートは、該薬剤カートリッジが前記カートリッジ受容領域内にあり、該ベースプレートが該注入ポンプアセンブリに接続されるとき、前記ベースプレートコネクタの少なくとも一部が該薬剤カートリッジ貫通孔内にあるようにそれぞれ構成される、項目４３８に記載のシステム。
（項目４４１）
前記薬剤カートリッジは、前記リザーバと連通する貫通孔を含み、
前記ベースプレートコネクタは、前記貫通孔に係合するシールを含む、項目４４０に記載のシステム。
（項目４４２）
前記薬剤カートリッジは、プランジャを含み、
前記流体変位デバイスは、プランジャプッシャを含み、
前記駆動機構は、モータを含む、項目４３８に記載のシステム。
（項目４４３）
コントローラおよび流体変位デバイスを有する注入ポンプと、ベースプレート識別デバイスを有するベースプレートとを含むシステムと併用するための方法であって、
該方法は、
前記ベースプレート識別デバイスに基づいて、該コントローラによってベースプレートタイプ決定を行うステップと、
該決定されたベースプレートタイプに少なくとも部分的に基づいて、該コントローラによって該流体変位デバイスを制御するステップと
を備える、方法。
（項目４４４）
前記ベースプレートは、第１のベースプレートタイプを画定し、前記ベースプレート識別デバイスは、第１のベースプレート識別デバイスを画定し、前記システムは、該第１のベースプレート識別デバイスと異なる第２のベースプレート識別デバイスを有する、第２のベースプレートタイプの第２のベースプレートを含み、該方法は、
該第２のベースプレートがポンプ筐体に取着された後に、該第２のベースプレート識別デバイスに基づいて、前記コントローラによって第２のベースプレートタイプ決定を行うステップと、
該第２のベースプレートタイプに少なくとも部分的に基づいて、かつ前記第１のベースプレートタイプに少なくとも基づく制御と異なるように、該コントローラによって該駆動機構を制御するステップと
をさらに備える、項目４４３に記載の方法。
（項目４４５）
前記第１のベースプレートは、身体接着可能ベースプレートであって、前記第２のベースプレートは、注入セットベースプレートである、項目４４４に記載の方法。
（項目４４６）
ベースプレートタイプ決定を行うステップは、前記ベースプレート識別デバイスのレジスタ値に基づいて、前記コントローラによってベースプレートタイプ決定を行うステップを備える、項目４４３に記載の方法。
（項目４４７）
前記ベースプレートタイプ決定を行うステップは、電気接点の配列に基づいて、前記コントローラによってベースプレートタイプ決定を行うステップを備える、項目４４３に記載の方法。
（項目４４８）
前記ベースプレートタイプ決定を行うステップは、光学的に識別可能な標的の配列に基づいて、前記コントローラによってベースプレートタイプ決定を行うステップを備える、項目４４３に記載の方法。
（項目４４９）
前記ベースプレートタイプ決定を行うステップは、共振回路の検出された周波数に基づいて、前記コントローラによってベースプレートタイプ決定を行うステップを備える、項目４４３に記載の方法。
（項目４５０）
前記ベースプレートタイプ決定を行うステップは、検出された磁場に基づいて、前記コントローラによってベースプレートタイプ決定を行うステップを備える、項目４４３に記載の方法。
（項目４５１）
前記ベースプレートタイプ決定を行うステップは、ＲＦＩＤタグから読み取られる情報に基づいて、前記コントローラによってベースプレートタイプ決定を行うステップを備える、項目４４３に記載の方法。
（項目４５２）
前記ベースプレートタイプ決定を行うステップは、前記ベースプレートが前記ポンプに取着されている間にベースプレートタイプ決定を行うステップを備える、項目４４３に記載の方法。
（項目４５３）
リザーバを有する薬剤カートリッジと併用するための注入ポンプアセンブリであって、
システムは、
該薬剤カートリッジを保持するように適合される筐体と、
該筐体内の流体変位デバイスと、
該筐体内にあり、該流体変位デバイスに動作可能に接続される駆動機構と、
該筐体内に搭載され、該駆動機構に給電するように適合される再充電可能バッテリと、
該再充電可能バッテリに動作可能に接続され、該筐体によって支持される一対の接点と、
コントローラであって、該コントローラは、検出されたレジスタ値から、該一対の接点が第１のレジスタ値を有する第１のベースプレートの端子、または第２のレジスタ値を有する第２のベースプレートの端子に動作可能に接続されるか否かを決定し、第１のベースプレート決定に応答して、該第１のベースプレートと関連付けられた第１のモードにおいて、該駆動機構を動作させ、第２のベースプレート決定に応答して、該第２のベースプレートと関連付けられた第２のモードにおいて、該駆動機構を動作させる、コントローラと
を備える、アセンブリ。
（項目４５４）
前記薬剤カートリッジは、プランジャを含み、
前記流体変位デバイスは、プランジャプッシャを含み、
前記駆動機構は、モータを含む、項目４５３に記載の注入ポンプアセンブリ。
（項目４５５）
前記モータは、対向する第１および第２の端部を有し、前記システムは、
前記プランジャプッシャに接続される送りネジと、該モータの該第１の端部上の遊星変速機と、該遊星変速機と該モータとの間の横方向ギヤ列と、該モータの該第２の端部上のエンコーダとをさらに備える、項目４５４に記載の注入ポンプアセンブリ。
（項目４５６）
前記再充電可能バッテリは、リチウムポリマーバッテリまたはリチウムイオンバッテリである、項目４５３に記載の注入ポンプアセンブリ。
（項目４５７）
前記再充電可能バッテリは、概して、完全に充電された４．１８−４．２４ボルトの開回路電圧を有する、項目４５３に記載の注入ポンプアセンブリ。
（項目４５８）
前記第１のベースプレートは、身体接着可能ベースプレートであり、前記第２のベースプレートは、注入セットベースプレートである、項目４５３に記載の注入ポンプアセンブリ。
（項目４５９）
注入ポンプキットであって、
該キットは、
反射および／または遮蔽標的の第１のベースプレートパターンを有する第１のベースプレートと、
該第１のパターンと異なる、反射および／または遮蔽標的の第２のベースプレートパターンを有する第２のベースプレートと、
注入ポンプアセンブリであって、該注入ポンプアセンブリは、
該第１および第２のベースプレートに取着されるように構成される筐体と、
流体変位デバイスと、
該流体変位デバイスを駆動する駆動機構と、
該筐体と関連付けられ、該第１および第２のベースプレートパターンを検出するように構成されるエミッタ／検出器と、
コントローラであって、該コントローラは、該エミッタ／検出器に動作可能に接続され、検出されたベースプレートパターンに基づいて、該第１および第２のベースプレートのいずれが該筐体に取着されているかを決定し、該第１のベースプレートが該筐体に取着されると、該駆動機構に、第１のモードで動作するように命令し、該第２のベースプレートが該筐体に取着されると、該駆動機構に、該第１のモードと異なる第２のモードで動作するように命令するように構成される、コントローラと
を含む、注入ポンプアセンブリと
を備える、キット。
（項目４６０）
前記第１のパターンは、第１のデカール上にあり、前記第２のパターンは、第２のデカール上にある、項目４５９に記載の注入ポンプキット。
（項目４６１）
薬剤リザーバおよびプランジャを含む薬剤カートリッジをさらに備え、
前記流体変位デバイスは、プランジャプッシャを含み、前記駆動機構は、モータを含む、項目４５９に記載の注入ポンプキット。
（項目４６２）
注入ポンプキットであって、
該キットは、
第１のベースプレート識別デバイスを有する第１のベースプレートと、
第２のベースプレート識別デバイスを有する第２のベースプレートと、
注入ポンプアセンブリであって、該注入ポンプアセンブリは、
該第１および第２のベースプレートに取着されるように構成される筐体と、
流体変位デバイスと、
該流体変位デバイスを駆動する駆動機構と、
該筐体と関連付けられたコネクタアセンブリであって、該コネクタアセンブリは、該第１および第２のベースプレートのうちの１つが該筐体に固着されると、該第１および第２の識別デバイスのうちの１つに動作可能に接続する、コネクタアセンブリと、
コントローラであって、該コントローラは、該コネクタアセンブリと動作可能に関連付けられ、検出されたベースプレート識別デバイスに基づいて、該第１および第２のベースプレートのいずれが該筐体に取着されているかを決定するように構成される、コントローラと
を含む、注入ポンプアセンブリと
を備える、キット。
（項目４６３）
前記コントローラは、前記第１のベースプレートが前記筐体に取着されると、前記駆動機構に第１のモードで動作するように命令し、前記第２のベースプレートが該筐体に取着されると、該駆動機構に該第１のモードと異なる第２のモードで動作するように命令するように構成される、項目４６２に記載の注入ポンプキット。
（項目４６４）
前記第１のベースプレートは、身体接着可能ベースプレートであり、前記第２のベースプレートは、注入セットベースプレートであり、前記第１のモードは、呼水ステップを含まず、前記第２のモードは、呼水ステップを含む、項目４６３に記載の注入ポンプキット。
（項目４６５）
前記第１のベースプレートは、身体接着可能ベースプレートであり、前記第２のベースプレートは、注入セットベースプレートである、項目４６２に記載の注入ポンプキット。
（項目４６６）
第３のベースプレート識別デバイスを有する第３のベースプレートをさらに備え、
前記第１のベースプレートは、身体接着可能ベースプレートであり、前記第２のベースプレートは、注入セットベースプレートであり、該第３のベースプレートは、薬剤非送達ベースプレートであり、前記コントローラは、検出されたベースプレート識別デバイスに基づいて、前記第１、第２、および第３のベースプレートのいずれが前記筐体に取着されているかを決定するように構成される、項目４６２に記載の注入ポンプキット。
（項目４６７）
薬剤リザーバおよびプランジャを含む薬剤カートリッジをさらに備え、
前記流体変位デバイスは、プランジャプッシャを含み、前記駆動機構は、モータを含む、項目４６２に記載の注入ポンプキット。
（項目４６８）
前記薬剤カートリッジは、カニューレ貫通孔を含む、項目４６７に記載の注入ポンプキット。
（項目４６９）
前記第２のベースプレートは、
上部開口部と、縁開口部と、該上部開口部と該縁開口部との間の流体路とを有するプレート部材と、
該縁開口部において、該流体路を注入セットと連通した管類と、
コネクタであって、該コネクタは、前記薬剤カートリッジが前記受容領域内に位置付けられ、該第２のベースプレートが前記筐体に取着され、前記薬剤カートリッジの薬剤リザーバと該プレート部材の該流体路との間に流体路の少なくとも一部を提供するとき、該上部開口部において、該プレート部材から前記貫通孔内へと上方に延在する、コネクタと
を含む、項目４６７に記載の注入ポンプキット。
（項目４７０）
前記コネクタは、密閉デバイスと、前記リザーバと連通する開口部とを含む、項目４６９に記載の注入ポンプキット。
（項目４７１）
前記第１のベースプレート識別デバイスは、第１のレジスタ値を有する第１のレジスタであり、
前記第２のベースプレート識別デバイスは、第２のレジスタ値を有する第２のレジスタであり、
前記コネクタアセンブリは、該第１および第２のベースプレートが、前記筐体にそれぞれ取着されると、前記別個の第１または第２のレジスタに接続する接点を含み、
前記コントローラは、該第１または第２のレジスタ値から、該第１および第２のベースプレートのいずれが、該筐体に取着されているかを決定するように構成される、項目４６２に記載の注入ポンプキット。
（項目４７２）
前記第１のベースプレート識別デバイスは、第１の周波数を有する第１の共振回路であり、
前記第２のベースプレート識別デバイスは、第２の周波数を有する第２の共振回路であり、
前記コントローラは、該第１および第２の周波数のうちの検出された１つから、該第１および第２のベースプレートのいずれが前記筐体に取着されているかを決定し、適宜、該第１のベースプレートと関連付けられた第１のモードまたは該第２のベースプレートと関連付けられた第２のモードに関連して、前記駆動機構を動作させるように構成される、項目４６２に記載の注入ポンプキット。
（項目４７３）
前記第１のベースプレート識別デバイスは、第１の磁場を有する第１の磁石であり、
前記第２のベースプレート識別デバイスは、第２の磁場を有する第２の磁石であり、
前記コネクタアセンブリは、前記第１および第２のベースプレートが、前記筐体にそれぞれ取着されると、該第１または第２の磁場を検出するホール効果センサまたは磁気抵抗センサを含み、
前記コントローラは、該検出された第１または第２の磁場から、該第１および第２のベースプレートのいずれが該筐体に取着されているかを決定するように構成される、項目４６２に記載の注入ポンプキット。
（項目４７４）
前記第１のベースプレート識別デバイスは、第１のＲＦＩＤチップであり、前記第２のベースプレート識別デバイスは、第２のＲＦＩＤチップである、項目４６２に記載の注入ポンプキット。
（項目４７５）
注入ポンプシステムであって、
該注入ポンプシステムは、
薬剤カートリッジであって、該薬剤カートリッジは、
薬剤リザーバと、
プランジャと、
貫通孔と
を含む、薬剤カートリッジと、
注入ポンプアセンブリであって、該注入ポンプアセンブリは、
該薬剤カートリッジを保持するように構成される薬剤カートリッジ受容領域と、薬剤カートリッジ挿入開口部とを有する筐体と、
該筐体内にあり、ホーム位置と挿入位置との間で移動可能であるプランジャプッシャであって、該プランジャプッシャは、該ホーム位置において、該プランジャプッシャが該挿入開口部を通して該カートリッジ受容領域からのカートリッジ除去を防止せず、該挿入位置は該カートリッジ受容領域にある、プランジャプッシャと、
該薬剤カートリッジに対して、該プッシャを移動させるモータを含む駆動機構と、
該挿入開口部を通してのカートリッジ除去を防止する阻止位置と、非阻止位置とに位置付け可能であるラッチと
を含む、注入ポンプアセンブリと、
該筐体に取着され、そこから分断されるように構成され、ベースプレート開口部を含むベースプレートと、
カニューレであって、該カニューレは、少なくとも一部が該カートリッジ貫通孔および該ベースプレート開口部を通過し得るように定寸され、該カニューレを該ベースプレートに接続するように構成されるコネクタを含む、カニューレと
を備え、該薬剤カートリッジ、注入ポンプアセンブリ、ベースプレート、およびカニューレは、該薬剤カートリッジが該カートリッジ受容領域内にあり、該ベースプレートが該注入ポンプ筐体に取着されると、該カニューレが該カートリッジ貫通孔およびベースプレート開口部を通して挿入され、該ベースプレートに接続され、それによって、ベースプレート−カートリッジ−カニューレユニットを画定し得るようにそれぞれ構成され、
該薬剤カートリッジ、注入ポンプアセンブリ、ベースプレート、およびカニューレは、該プッシャが該ホーム位置にあり、該ラッチが該非阻止位置にあるときに、該注入ポンプアセンブリが該ベースプレート−カートリッジ−カニューレユニットから分離可能であるようにそれぞれ構成される、システム。
（項目４７６）
コントローラをさらに備え、該コントローラは、前記薬剤リザーバが空であることを示す信号に応答して、自動的に、前記プッシャを前記薬剤カートリッジ受容領域から前記ホーム位置に引き抜くように構成される、項目４７５に記載のシステム。
（項目４７７）
前記ベースプレートは、装着者の皮膚に接触する側に、接着剤を含む、項目４７５に記載のシステム。
（項目４７８）
薬剤カートリッジ、注入ポンプアセンブリ、ベースプレート、およびカニューレを有する注入ポンプシステムを使用する方法であって、
該方法は、
該薬剤カートリッジ、注入ポンプアセンブリ、ベースプレート、およびカニューレを組み立てられたシステム内に配列するステップであって、少なくとも該薬剤カートリッジおよび該カニューレは、薬剤分注流路ユニットを画定する、ステップと、
注入ポンプアセンブリを該薬剤分注流路ユニットから除去するステップと
を備える、方法。
（項目４７９）
前記配列するステップは、前記薬剤カートリッジを前記注入ポンプアセンブリの中に挿入するステップと、前記ベースプレートを、該薬剤カートリッジを中に有する該注入ポンプアセンブリに取着するステップと、該薬剤カートリッジおよび該ベースプレートに前記カニューレの別箇の部分を位置付けるステップとを備える、項目４７８に記載の方法。
（項目４８０）
前記除去するステップは、
前記注入ポンプアセンブリに対して、前記薬剤カートリッジを非掛止状態に置くステップと、
カニューレシールによって、前記カニューレを前記薬剤カートリッジに固着するステップと
を備える、項目４７８に記載の方法。
（項目４８１）
空のカートリッジ状態の検出に応答して、自動的に、前記プッシャを前記薬剤カートリッジから引き抜くステップをさらに備える、項目４７８に記載の方法。
（項目４８２）
前記薬剤カートリッジは、貫通孔を含み、前記配列するステップは、前記カニューレを該貫通孔内に位置付けるステップを含む、項目４７８に記載の方法。
（項目４８３）
前記除去するステップの後に、新しい事前充填されたカートリッジを前記筐体アセンブリ内に挿入するステップをさらに備える、項目４７８に記載の方法。
（項目４８４）
注入ポンプ装置であって、
該注入ポンプ装置は、
薬剤リザーバと、プランジャと、出口ポートとを含む薬剤カートリッジと、
注入ポンプアセンブリであって、該注入ポンプアセンブリは、
カートリッジ受容領域を有する筐体と、
該筐体内のプランジャプッシャと、
該プランジャプッシャを駆動し、モータと、送りネジと、該モータと該送りネジとの間に動作可能に位置付けられるギヤアセンブリと、エンコーダとを有する駆動機構と、
該モータの動作を制御するためのコントローラと
を含む、注入ポンプアセンブリと
を備え、該薬剤カートリッジは、開口部を通して、該筐体内および該カートリッジ受容領域の中に、挿入位置まで挿入可能であり、該プランジャは、該プランジャプッシャに近接するが、そこから離間しており、
該コントローラは、挿入位置における該薬剤カートリッジとともに、該モータに、該プランジャプッシャを前進させて、該プランジャに接触し、次いで、該プランジャプッシャを該プランジャから所定の距離だけ退避させるステップを含むプランジャプッシャ零圧調整手順を実行するように構成される、装置。
（項目４８５）
前記プランジャプッシャは、前記薬剤カートリッジが前記開口部を通して前記カートリッジ受容領域内に挿入されるとき、該薬剤カートリッジとの干渉から外れた後退ホーム位置にある、項目４８４に記載の装置。
（項目４８６）
前記筐体に取着され、第１の位置と第２の位置との間を移動可能である摺動可能ラッチをさらに備え、該第１の位置は、前記薬剤カートリッジを前記開口部を通して挿入可能にし、該第２の位置は、前記プランジャプッシャ零圧調整手順の間、挿入位置からの該薬剤カートリッジの除去を防止する、項目４８４に記載の装置。
（項目４８７）
前記所定の距離は、１から２０マイクロリットルまでの分注される薬剤、または５．５から６．５マイクロリットルまでの分注される薬剤に対応する、項目４８４に記載の装置。
（項目４８８）
前記所定の距離は、０．００１から０．００５インチまでの間にある、項目４８４に記載の装置。
（項目４８９）
前記コントローラは、前記プランジャプッシャが前記プランジャプッシャ零圧調整手順の間に、前記プランジャに接触しているとき、受信された信号からそれを決定するように構成される、項目４８４に記載の装置。
（項目４９０）
前記受信された信号は、前記薬剤リザーバと流体連通する圧力変形可能部分から生じる、項目４８９に記載の装置。
（項目４９１）
前記受信された信号は、前記薬剤リザーバと流体連通する閉塞圧力センサから生じる、項目４８９に記載の装置。
（項目４９２）
前記受信された信号は、前記エンコーダから生じる、項目４８９に記載の装置。
（項目４９３）
前記コントローラは、遠隔制御を介して、前記プランジャプッシャ零圧調整手順を開始するための命令を受信後に、そのようにするように構成される、項目４８９に記載の装置。
（項目４９４）
前記コントローラは、前記薬剤カートリッジが前記カートリッジ受容領域内に挿入される前に、前記プランジャプッシャを後退ホーム位置にあるようにするように構成される、項目４８４に記載の装置。
（項目４９５）
前記コントローラは、前記薬剤カートリッジが前記カートリッジ受容領域内にあることの信号を受信した後に、自動的に、前記プランジャプッシャ零圧調整手順を開始するように構成される、項目４８４に記載の装置。
（項目４９６）
前記信号は、前記筐体内のセンサから受信され、該センサは、前記薬剤カートリッジによって担持される磁石が近傍に存在することを感知する、項目４９５に記載の装置。
（項目４９７）
前記薬剤カートリッジは、前記プランジャプッシャ零圧調整手順の間、前記出口ポートを密閉するシールを含む、項目４８４に記載の装置。
（項目４９８）
前記シールは、該シールが前記出口ポートに対して非密閉位置にあるように、前記コントローラが前記装置をプランジャプッシャ零圧状態にした後に、前記筐体の外側からアクセス可能なその一部を把持および引張することによって移動可能であるように構成され、る、項目４９７に記載の装置。
（項目４９９）
前記コントローラは、前記モータに、第１の速度で前記プランジャプッシャを前進させ、次いで、該プランジャプッシャが前記プランジャプッシャ零圧調整手順の間に前記プランジャに接触するまで、第２のよりゆっくりな速度で該プランジャプッシャを前進させるように構成される、項目４８４に記載の装置。
（項目５００）
前記第２の速度は、前記第１の速度の約半分である、項目４９９に記載の装置。
（項目５０１）
前記第１の速度は、．３５−．４５ｍｍに対するものであり、前記第２の速度は、．１５−．２５ｍｍに対するものである、項目５００に記載の装置。
（項目５０２）
前記モータは、前記プランジャプッシャ零圧調整手順の間、前記プランジャプッシャを前進させて、前記プランジャに接触すると、該プランジャに接触した時から該モータが失速し得るように制御されたトルクで動作する、項目４８４に記載の装置。
（項目５０３）
前記コントローラは、前記モータが前記プランジャプッシャ零圧調整手順の間に失速すると、前記エンコーダからの入力からそれを決定し、次いで、該モータに前記プランジャを退避させるように構成される、項目４８４に記載の装置。
（項目５０４）
注入ポンプ装置であって、
該注入ポンプ装置は、
薬剤リザーバと、プランジャと、出口ポートとを含む薬剤カートリッジと、
該出口ポートにおいて該出口ポートを密閉する密閉位置と、該出口ポートに対する非密閉位置とに位置付け可能であるシールと、
注入ポンプアセンブリであって、該注入ポンプアセンブリは、
カートリッジ受容領域を中に有する筐体と、
プランジャプッシャと、
該プランジャプッシャを駆動するモータを含む駆動機構と
を含む、注入ポンプアセンブリと
を備え、該薬剤カートリッジは、該密閉位置に該シールを有する該筐体内の開口部を通して、該カートリッジ受容領域内へと、該プランジャが該プランジャプッシャに近接するが、僅かな距離だけ離間している挿入位置に挿入可能である、装置。
（項目５０５）
前記プランジャは、乾燥側面を有し、前記駆動機構は、エンコーダを含み、前記装置は、コントローラをさらに備え、
該コントローラは、前記プランジャプッシャが該プランジャの乾燥側面に接触するように、前記薬剤カートリッジが挿入位置にあるとき、前記モータに、該プランジャプッシャを押動させるように構成される、項目５０４に記載の装置。
（項目５０６）
前記コントローラは、正常位置から、前記プランジャの乾燥側面と接触する可能性がある場所を表す所定の距離範囲だけ前記プランジャプッシャを前進させ、該プランジャプッシャが該プランジャの乾燥側面に接触したことを示す信号を受信することによって、該プランジャプッシャが、該プランジャの乾燥側面に接触したか否かを決定するように構成される、項目５０５に記載の装置。
（項目５０７）
前記信号は、前記エンコーダから生じ、前記モータのシャフトが回転していないことを示す、項目５０６に記載の装置。
（項目５０８）
前記コントローラは、前記モータが前記プランジャプッシャを前記所定の距離範囲だけ前進させるように命令された後に、該プランジャプッシャが、前記プランジャに接触したことを示す信号を該コントローラが受信しないことに応答して、該モータが、旋回していないか、または該薬剤カートリッジが満杯未満のリザーバを有するか否かを決定するように構成される、項目５０６に記載の装置。
（項目５０９）
前記コントローラは、前記エンコーダからの信号に応答して、前記モータが旋回していなかったことを決定するように構成される、項目５０８に記載の装置。
（項目５１０）
前記コントローラは、前記モータが前記プランジャを前記所定の距離範囲を越えて前進させたことの前記エンコーダ信号伝達に応じて、前記薬剤カートリッジが満杯未満のリザーバを有することを決定するように構成される、項目５０８に記載の装置。
（項目５１１）
前記コントローラは、前記プランジャプッシャが前記プランジャの乾燥側面に接触した後に、該プランジャが該プランジャに対して力を印加しないように、前記モータに該プランジャプッシャを該プランジャから所定の距離だけ引き抜かせるように構成される、項目５０６に記載の装置。
（項目５１２）
前記シールは、前記プランジャプッシャが前記プランジャから前記所定の距離だけ引き抜かれた後に、前記非密閉位置に移動可能である、項目５１１に記載の装置。
（項目５１３）
前記カートリッジは、マニホールド貫通孔を含み、前記シールは、該シールが前記密閉位置にあるとき、該マニホールド貫通孔の中に位置付けられ、該シールは、該密閉位置から前記非密閉位置まで除去され、該装置は、
該シールが該非密閉位置にあるとき、該貫通孔内に挿入位置へと挿入可能であるカニューレをさらに備える、項目５１２に記載の装置。
（項目５１４）
前記コントローラは、遠隔制御からの命令を受信した後に、前記モータに前記プランジャプッシャの駆動を開始させるように構成されることにより、該プランジャプッシャは、前記薬剤カートリッジが前記カートリッジ受容領域内にあることの信号を受信した後に、前記プランジャの乾燥側面に接触する、項目５０５に記載の装置。
（項目５１５）
前記信号は、前記薬剤カートリッジによって担持されるデバイスの近傍存在を感知する、前記筐体内のセンサから受信される、項目５１４に記載の装置。
（項目５１６）
前記デバイスは、磁石である、項目５１５に記載の装置。
（項目５１７）
前記コントローラは、前記装置のプランジャプッシャ零圧調整手順の一部として、挿入位置における前記薬剤カートリッジとともに、前記モータに、前記プランジャプッシャを前進させ、前記プランジャに接触させ、次いで、該プランジャからの設定距離の間に、該プランジャプッシャの駆動の方向を反転させるように構成される、項目５０４に記載の装置。
（項目５１８）
前記シールは、前記コントローラが、前記装置をプランジャプッシャ零圧状態にさせた後に、前記非密閉位置に移動可能である、項目５０４に記載の装置。
（項目５１９）
前記薬剤カートリッジは、閉塞センサの流体力偏向可能部分を含み、前記シールは、前記密閉位置にあるときに、前記リザーバ内の薬剤が、該流体力偏向可能部分に到達しないように阻止する、項目５１８に記載の装置。
（項目５２０）
プランジャプッシャと、リザーバ、乾燥側面を有するプランジャ、および出口ポートを含む薬剤カートリッジとを含む、注入ポンプアセンブリと併用するための注入ポンプ方法であって、
該方法は、
前記出口ポートが密閉された状態において、前記プランジャプッシャが前記プランジャの乾燥側面に接触するように、該プランジャプッシャを推進するステップと、
プランジャプッシャ零圧調整手順の一部として、該プランジャプッシャが、該プランジャに接触したことの感知に応答して、モータの駆動方向を反転し、前記プランジャの乾燥側面から所定の距離だけ該プランジャプッシャを引き抜くステップと
を備える、方法。
（項目５２１）
前記プランジャプッシャを推進するステップは、第１の速度において、次いで、前記プランジャプッシャが前記プランジャに接触するまで第２のよりゆっくりな速度において、該プランジャプッシャを推進するステップを備える、項目５２０に記載の方法。
（項目５２２）
前記第２の速度は、前記第１の速度の約半分である、項目５２１に記載の方法。
（項目５２３）
前記第１の速度は、．３５−．４５ｍｍに対するものであり、前記第２の速度は、．１５−．２５ｍｍに対するものである、項目５２１に記載の方法。
（項目５２４）
前記注入ポンプアセンブリは、モータと、エンコーダと、コントローラとを含み、前記方法は、
前記モータは、該注入ポンプアセンブリのコントローラから駆動信号を受信している間に、該モータが旋回していないことを示すエンコーダ信号に応答して、前記プランジャプッシャが前記プランジャに接触したことを決定するステップをさらに備える、項目５２０に記載の方法。
（項目５２５）
前記薬剤カートリッジは、薬剤リザーバと、前記注入ポンプアセンブリのうちの少なくとも１つとを含み、前記薬剤カートリッジは、該薬剤リザーバと流体連通する圧力センサを含み、前記方法は、
前記圧力センサからの信号に応答して、前記プランジャプッシャが前記プランジャに接触したことを決定するステップをさらに備える、項目５２０に記載の方法。
（項目５２６）
前記プランジャプッシャを引き抜いた後に、前記出口ポートを密閉解除するステップをさらに備える、項目５２０に記載の方法。
（項目５２７）
前記所定の距離は、１から２０マイクロリットルまでに値する分注された薬剤、または５．５から６．５マイクロリットルまでに値する分注された薬剤に対応する、項目５２０に記載の方法。
（項目５２８）
前記所定の距離は、０．００１から０．００５インチまでにある、項目５２０に記載の方法。
（項目５２９）
前記推進および反転するステップは、複数回だけ行われ、前記プランジャプッシャの前記零圧位置は、該反転ステップの最後の数回の平均から決定される、項目５２０に記載の方法。
（項目５３０）
前記推進および反転するステップは、複数回だけ行われ、初回は、最終回よりも軽い力で行われる、項目５２０に記載の方法。
（項目５３１）
リザーバおよびプランジャを有する薬剤カートリッジと併用するための注入ポンプアセンブリであって、
該アセンブリは、
カートリッジ受容領域を有する筐体と、
プランジャプッシャと、
該プランジャプッシャを駆動するためのモータと、
該モータと関連付けられたエンコーダと、
コントローラであって、該コントローラは、該モータの動作を制御し、薬剤分注プログラムを調節して、該モータの反転回転の量を補償するように構成され、該反転回転の量は、電力が該モータに送達されておらず、コントローラが反転モータ回転信号として解釈する信号を該エンコーダから受信するときに生じる、コントローラと
を備える、アセンブリ。
（項目５３２）
前記エンコーダは、発光体および光検出器を含む、項目５３１に記載の注入ポンプアセンブリ。
（項目５３３）
前記エンコーダは、相互に対して、０度超かつ１８０度未満だけ離間した第１および第２の遮断器を含む、項目５３２に記載の注入ポンプアセンブリ。
（項目５３４）
前記第１および第２の遮断器は両方とも、遮蔽タブである、項目５３３に記載の注入ポンプアセンブリ。
（項目５３５）
前記第１および第２の遮断器は両方とも、エンコーダ開口部である、項目５３３に記載の注入ポンプアセンブリ。
（項目５３６）
前記第１および第２の遮断器は両方とも、反射領域である、項目５３３に記載の注入ポンプアセンブリ。
（項目５３７）
前記エンコーダは、前記モータが順方向および逆方向に動作するときに異なる光学波形を生成する単一遮断器を含む、項目５３３に記載の注入ポンプアセンブリ。
（項目５３８）
前記単一遮断器は、非対称遮蔽タブである、項目５３７に記載の注入ポンプアセンブリ。
（項目５３９）
前記単一遮断器は、前記エンコーダ内の少なくとも１つの非対称開口部である、項目５３７に記載の注入ポンプアセンブリ。
（項目５４０）
前記単一遮断器は、前記エンコーダ上の少なくとも１つの非対称反射領域である、項目５３７に記載の注入ポンプアセンブリ。
（項目５４１）
前記エンコーダは、磁場センサを含む、項目５３１に記載の注入ポンプアセンブリ。
（項目５４２）
前記エンコーダは、ホール効果センサまたは磁気抵抗センサを含む、項目５３１に記載の注入ポンプアセンブリ。
（項目５４３）
前記エンコーダは、２つの磁性領域を含み、前記エンコーダの回転軸は、前記磁性領域の各々を通過する、項目５４２に記載の注入ポンプアセンブリ。
（項目５４４）
前記エンコーダは、該エンコーダの順および逆回転方向において、異なる磁場を生成する、項目５４２に記載の注入ポンプアセンブリ。
（項目５４５）
前記モータはまた、遊星変速機と、前記プランジャプッシャを駆動する送りネジと、該プランジャプッシャを該送りネジに動作可能に接続する駆動ナットと、該送りネジと該遊星変速機との間に動作可能にある横方向ギヤ列とを含む駆動機構の一部である、項目５３１に記載の注入ポンプアセンブリ。
（項目５４６）
注入ポンプ装置であって、
該注入ポンプ装置は、
筐体と、
該筐体内の薬剤リザーバ、プランジャ、および出口ポートと、
プランジャプッシャと、
モータおよびエンコーダによって、該プランジャプッシャを駆動する駆動機構と、
コントローラであって、該コントローラは、薬剤分注プログラムを記憶し、該モータが電気的に駆動されていないときに、該エンコーダからの信号に基づいて、該モータが逆に回転しているか否かを決定し、該薬剤分注プログラムを調節して、逆回転の量を考慮するように構成される、コントローラと
を備える、装置。
（項目５４７）
前記駆動機構は、送りネジと、遊星変速機と、該遊星変速機と該送りネジとの間の横方向ギヤ列と、前記プッシャを該送りネジに接続する駆動ナットとを含む、項目５４６に記載の装置。
（項目５４８）
前記駆動機構は、前記送りネジの端部において該送りネジと一直線にあるアンギュラコンタクトスラスト軸受を含む、項目５４７に記載の装置。
（項目５４９）
前記駆動機構は、前記送りネジの端部において該送りネジと一直線にあり、組み合わされたラジアル／スラスト軸受を含む、項目５４７に記載の装置。
（項目５５０）
リザーバおよびプランジャを含む薬剤カートリッジと併用するための注入ポンプアセンブリであって、
該アセンブリは、
カートリッジ受容領域を有する筐体と、
プランジャプッシャと、
モータ、ギヤアセンブリ、送りネジ、およびエンコーダによって、該プランジャプッシャを駆動する駆動機構と、
コントローラであって、該コントローラは、該モータに動作可能に接続され、該モータおよび／またはギヤアセンブリの誤動作、および／または該モータが電力を受信していないときに、該モータの逆旋回を検出するように構成される、コントローラと
を備える、アセンブリ。
（項目５５１）
前記コントローラは、前記モータおよび／またはギヤアセンブリの誤動作を検出し、該モータが受信電力を受信していないときに、該モータの逆旋回を検出するように構成される、項目５５０に記載の注入ポンプアセンブリ。
（項目５５２）
前記コントローラは、前記送りネジの回転数および旋回方向を分解するように構成される、項目５５０に記載の注入ポンプアセンブリ。
（項目５５３）
前記ギヤアセンブリは、遊星変速機と、該遊星変速機と前記送りネジとの間の横方向ギヤ列とを含む、項目５５０に記載の注入ポンプアセンブリ。
（項目５５４）
リザーバおよびモータを有する注入ポンプを制御する方法であって、
該方法は、
薬剤分注プログラムに従って、該リザーバから薬剤を分注するステップと、
該薬剤分注プログラムを調節して、該モータに送達されていないときに生じる該モータの逆回転の量を補償するステップと
を備える、方法。
（項目５５５）
前記注入ポンプは、前記リザーバを画定し、プランジャを有する薬剤カートリッジと、プランジャプッシャとを含み、前記薬剤を分注するステップは、
前記モータによって該プランジャプッシャを駆動させるステップと、
該プランジャプッシャによって該プランジャを押動するステップと
を備える、項目５５４に記載の方法。
（項目５５６）
前記注入ポンプは、前記モータと関連付けられたエンコーダを含み、前記薬剤分注プログラムを調節するステップは、該エンコーダからの逆モータ信号に応答して薬剤分注プログラムを部分的に調節するステップを備える、項目５５４に記載の方法。
（項目５５７）
リザーバおよびプランジャを含む、薬剤カートリッジと併用するための注入ポンプアセンブリであって、
該アセンブリは、
カートリッジ受容領域を画定する筐体と、
プランジャプッシャと、
モータと、送りネジと、該送りネジと該モータとの間で動作可能なギヤアセンブリと、
エンコーダを有するプッシャ駆動機構と、
コントローラであって、該コントローラは、該モータに動作可能に接続され、該モータが所定の分注トルクレベルを下回る低トルクレベルで稼働するように給電されるときに、該エンコーダから、該モータが旋回していることを示す少なくとも１つの信号を受信することに応答して、該カートリッジが該受容領域内にないとき、（１）該モータに、所定の分注トルクレベルにおいて給電させ、（２）該ギヤアセンブリが適切に動作していないと決定するように構成される、コントローラと
を備える、アセンブリ。
（項目５５８）
前記コントローラは、該コントローラが前記ギヤアセンブリが適切に動作していないと決定すると、ユーザにアラート信号を表示または発報させるように構成される、項目５５７に記載の注入ポンプアセンブリ。
（項目５５９）
前記低トルクレベルは、概して、前記所定のトルクの５０％未満である、項目５５７に記載の注入ポンプアセンブリ。
（項目５６０）
前記ギヤアセンブリは、遊星変速機と、該遊星変速機と前記送りネジとの間の横方向ギヤ列とを含む、項目５５７に記載の注入ポンプアセンブリ。
（項目５６１）
前記プランジャプッシャ、駆動機構、エンコーダ、およびコントローラは、前記筐体内に担持される、項目５５７に記載の注入ポンプアセンブリ。
（項目５６２）
リザーバおよびプランジャを含む薬剤カートリッジと併用するための注入ポンプアセンブリであって、
該アセンブリは、
薬剤カートリッジ受容領域を有する筐体と、
プランジャプッシャと、
該プランジャプッシャを駆動するモータを含む駆動機構と、
コントローラであって、該コントローラは、該モータの動作を制御し、該薬剤リザーバが空であることを示す信号の受信に応答して、自動的に、該プッシャをホーム位置に引き抜くように構成される、コントローラと
を備える、アセンブリ。
（項目５６３）
前記駆動機構は、バッテリと、送りネジと、エンコーダとを含み、前記信号は、該エンコーダが、前記モータが空の薬剤リザーバに対応する所定の回転数、該送りネジを旋回させたことを示すときに、生成される、項目５６２に記載の注入ポンプアセンブリ。
（項目５６４）
前記駆動機構は、バッテリと、送りネジと、エンコーダとを含み、前記信号は、エンコーダ出力が停止すると生成される、項目５６２に記載の注入ポンプアセンブリ。
（項目５６５）
前記自動引抜は、ユーザ開始プッシャ引抜速度の約４０から６０％までの速度である、項目５６２に記載の注入ポンプアセンブリ。
（項目５６６）
前記自動引抜は、約２分かかる、項目５６２に記載の注入ポンプアセンブリ。
（項目５６７）
前記自動引抜は、１分半から２分半までかかる、項目５６２に記載の注入ポンプアセンブリ。
（項目５６８）
空のリザーバ位置から前記ホーム位置までの前記プッシャのユーザ開始引抜は、２０から４０秒までかかる、項目５６７に記載の注入ポンプアセンブリ。
（項目５６９）
空のリザーバ位置から前記ホーム位置までの前記プッシャのユーザ開始引抜は、約３０秒かかる、項目５６７に記載の注入ポンプアセンブリ。
（項目５７０）
前記駆動機構は、再充電可能バッテリを含む、項目５６２に記載の注入ポンプアセンブリ。
（項目５７１）
前記プランジャプッシャ、駆動機構、およびコントローラは、前記筐体内に担持される、項目５６２に記載の注入ポンプアセンブリ。
（項目５７２）
注入ポンプ装置を動作させる方法であって、該注入ポンプ装置は、リザーバおよびプランジャを有する薬剤カートリッジと、該薬剤カートリッジを保持するように構成される筐体および該プランジャを押動するように構成されるカートリッジプッシャを有する注入ポンプアセンブリとを含み、
該方法は、
プランジャプッシャの一部が該薬剤カートリッジ内にあるように、該プランジャプッシャによって、ポンプアセンブリ筐体内の薬剤カートリッジの該プランジャを押動するステップと、
該薬剤カートリッジが空であることの注入ポンプアセンブリによる決定に応答して、該ユーザからのそのようにすることの命令によらずに、該プランジャプッシャを該薬剤カートリッジ内から引き抜くステップと
を備える、方法。
（項目５７３）
前記注入ポンプアセンブリは、送りネジを含み、前記方法は、
送りネジ回転を監視することによって、前記薬剤カートリッジが空であることを決定するステップをさらに備える、項目５７２に記載の方法。
（項目５７４）
前記注入ポンプアセンブリは、ユーザ命令に応答して、第１の速度において、前記プランジャプッシャを前記薬剤カートリッジ内から引き抜くように構成され、該プランジャプッシャを引き抜くステップは、実質的に、該第１の速度未満である第２の速度において、該プランジャプッシャを引き抜くステップを備える、項目５７２に記載の方法。
（項目５７５）
リザーバおよびプランジャを含む薬剤カートリッジと併用するための注入ポンプアセンブリであって、
該アセンブリは、
該薬剤カートリッジを受容するように構成される筐体と、
プランジャプッシャと、
モータと、送りネジと、該モータと該送りネジとの間に動作可能に位置付けられるギヤアセンブリと、該プッシャを駆動するエンコーダとを含む駆動機構と、
コントローラであって、該コントローラは、以下の手順部分：（ａ）モータ駆動パルスシーケンスを該モータに送達し、順方向における通常送達のために印加されるトルクの７０％未満において、トルクが巻き戻し方向に該モータに印加されるように命令し、それによって、該モータを回転させるステップと、（ｂ）該エンコーダからの信号が、該モータが該モータ駆動パルスシーケンスと略同期されていることを示す場合、該ギヤアセンブリが適切に動作していないと決定するステップと、（ｃ）該エンコーダからの信号が、該モータが該モータ駆動パルスシーケンスと同期されていないことを示す場合、該ギヤアセンブリが適切に動作していると決定するステップとを含むギヤアセンブリ検証手順を実行するように構成される、コントローラと
を備える、アセンブリ。
（項目５７６）
略同期されているとは、９５％から１００％まで同期されていることを備える、項目５７５に記載の注入ポンプアセンブリ。
（項目５７７）
前記ギヤアセンブリは、横方向ギヤ列と、前記モータと該横方向ギヤ列との間の遊星変速機とを含む、項目５７５に記載の注入ポンプアセンブリ。
（項目５７８）
起動されるときに前記システムのユーザによって検出可能なアラームをさらに備え、前記検証手順は、前記ギヤアセンブリが適切に動作していないと決定される場合に該アラームを起動するステップを含む、項目５７５に記載の注入ポンプアセンブリ。
（項目５７９）
前記送達ステップは、前記カートリッジが前記非挿入位置にある状態である、項目５７５に記載の注入ポンプアセンブリ。
（項目５８０）
前記検証手順は、手順部分（ａ）の開始に先立って、前記薬剤カートリッジが前記カートリッジ受容領域内にないと決定するステップを含む、項目５７９に記載の注入ポンプアセンブリ。
（項目５８１）
前記薬剤カートリッジが前記カートリッジ受容領域内にないと決定するステップは、ホール効果または磁気抵抗センサからの信号の不在を識別するステップを備える、項目５８０に記載の注入ポンプアセンブリ。
（項目５８２）
前記手順部分（ａ）の少なくとも一部は、前記プランジャプッシャが完全に後退された「ホーム」位置にあるときに生じる、項目５７５に記載の注入ポンプアセンブリ。
（項目５８３）
前記検証手順は、部分（ａ）の開始に先立って、前記プッシャが完全に後退された「ホーム」位置にあることを決定するステップを含む、項目５８２に記載の注入ポンプアセンブリ。
（項目５８４）
前記プッシャが前記完全に後退された「ホーム」位置にあることを決定するステップは、信号がスイッチから受信されたか否かを決定するステップを備える、項目５７５に記載の注入ポンプアセンブリ。
（項目５８５）
前記コントローラは、前記プランジャプッシャが完全に逆戻りされるたびに、前記検証手順を行うように構成される、項目５７５に記載の注入ポンプアセンブリ。
（項目５８６）
通常送達のために印加されるトルクは、５−１０ｍＮｍである、項目５７８に記載の注入ポンプアセンブリ。
（項目５８７）
前記トルクは、通常送達のために印加されるトルクの２０−７０％において印加される、項目５７５に記載の注入ポンプアセンブリ。
（項目５８８）
前記トルクは、通常送達のために印加されるトルクの２０％未満において印加される、項目５７５に記載の注入ポンプアセンブリ。
（項目５８９）
モータ駆動シーケンスを送達するステップは、モータ駆動パルスシーケンスを印加して、前記モータを５０回だけ回転させるステップを備え、
前記コントローラは、前記エンコーダが、前記モータが少なくとも２０回だけ回転されたことを信号伝達する場合、該モータが前記ギヤアセンブリから分断されていると決定し、
該コントローラは、該エンコーダが、該モータが２０回未満だけ回転されたことを信号伝達する場合、該モータが該ギヤアセンブリから分断されていないと決定する、項目５７５に記載の注入ポンプアセンブリ。
（項目５９０）
モータと、プランジャプッシャと、ギヤアセンブリによって注入ポンプアセンブリを動作させる方法であって、
該方法は、
プランジャプッシャ零圧調整手順またはプランジャプッシャのホーム位置復帰手順の一部として、該モータを回転させて、該プランジャプッシャを駆動するステップと、
該ギヤアセンブリが、予期されるプランジャプッシャ停止点と関連付けられたものを越える継続モータ回転に応答して、故障したと決定するステップと
を備える、方法。
（項目５９１）
前記決定するステップは、エンコーダを監視して、予期されるプランジャプッシャ停止点を越える継続モータ回転を識別するステップを備える、項目５９０に記載の方法。
（項目５９２）
リザーバおよび乾燥側面を有するプランジャを含む薬剤カートリッジと、ベースプレートと併用するための注入ポンプアセンブリであって、
該アセンブリは、
筐体と、
該筐体と関連付けられるプランジャプッシャと、
モータおよびバッテリを含み、該プランジャプッシャを駆動する駆動機構と、
アラームであって、該アラームは、起動されると、システムのユーザによって検出可能であり、
（１）ベースプレートが、該筐体に取着されていないことと、
（２）該筐体に取着されたベースプレートが、該システムのユーザの皮膚から分離されていること、
（３）プッシャ零圧調整手順において、該プランジャの乾燥側面の予期される場所に対応する所定の距離または所定の距離の範囲を前進させた後に、該プランジャプッシャが該プランジャの乾燥側面に接触していないこと、
（４）該筐体内の温度が所定の温度を超えること、
（５）該モータの電流が低過ぎること、および
（６）バッテリ充電が失敗していること
のうちの少なくとも１つが満たされるときに起動可能である、アラームと
を備える、アセンブリ。
（項目５９３）
前記アラームは、前記状態（１）、（２）、（３）、（４）、（５）、および（６）のうちの少なくとも２つが満たされるときに、起動可能である、項目５９２に記載の注入ポンプアセンブリ。
（項目５９４）
前記アラームは、前記状態（１）、（２）、（３）、（４）、（５）、および（６）のそれぞれが満たされるときに、起動可能である、項目５９２に記載の注入ポンプアセンブリ。
（項目５９５）
前記アラームは、前記筐体内に位置付けられる、項目５９２に記載の注入ポンプアセンブリ。
（項目５９６）
リザーバを含む、注入ポンプ薬剤カートリッジと併用するための装置であって、
該装置は、
注入ポンプアセンブリであって、該注入ポンプアセンブリは、
カートリッジ受容領域を有する筐体と、
該筐体内の流体変位デバイスと、
モータと、エンコーダ信号を生成するエンコーダとを含み、該流体変位デバイスを駆動する駆動機構と、
コントローラであって、該コントローラは、該駆動機構に動作可能に接続され、薬剤分注プログラム情報を記憶し、少なくとも部分的に該薬剤分注プログラム情報および該エンコーダ信号に基づいて、該分注プログラムにおける残り時間を決定し、残り時間信号を生成する、コントローラと
を含む、注入ポンプアセンブリと、
遠隔制御であって、該遠隔制御は、ユーザインターフェースを含み、該ポンプアセンブリコントローラに動作可能に接続され、ユーザによって検出可能であり、該薬剤分注プログラム内における残り時間を示すインジケータを生成するように構成される、遠隔制御と
を備える、装置。
（項目５９７）
前記遠隔制御は、ディスプレイを含み、前記インジケータは、該ディスプレイ上の視覚インジケータである、項目５９６に記載の装置。
（項目５９８）
前記視覚インジケータは、前記ディスプレイ上の残り時間ゲージである、項目５９７に記載の装置。
（項目５９９）
前記視覚インジケータは、円グラフである、項目５９７に記載の装置。
（項目６００）
前記視覚インジケータはまた、前記薬剤カートリッジ内に残っている薬剤の量の視覚指標を含む、項目５９９に記載の装置。
（項目６０１）
前記遠隔制御は、前記コントローラと無線通信するハンドヘルド遠隔制御である、項目５９６に記載の装置。
（項目６０２）
前記薬剤カートリッジは、プランジャを含み、
前記流体変位デバイスは、プランジャプッシャを備える、項目５９６に記載の装置。
（項目６０３）
前記注入ポンプアセンブリは、再充電可能バッテリを含み、
前記コントローラは、該バッテリが再充電信号を要求するまでの残り時間を生成するように構成され、
前記遠隔制御は、ユーザによって検出可能であり、該バッテリが再充電を要求するまでの該残り時間を示すインジケータを生成するように構成される、項目５９６に記載の装置。
（項目６０４）
注入ポンプ装置であって、
該装置は、
注入ポンプであって、該注入ポンプは、
筐体と、
該筐体と関連付けられたリザーバと、
該筐体内の流体変位デバイスと、
該流体変位デバイスを駆動する、該筐体内の駆動機構と、
該筐体内にあって、該駆動機構と関連付けられる再充電可能バッテリと、
該再充電可能バッテリに動作可能に接続され、該バッテリが再充電信号を要求するまでの残り時間を生成するコントローラと
を含む、注入ポンプと、
遠隔制御であって、該遠隔制御は、ユーザインターフェースを含み、ポンプアセンブリコントローラに動作可能に接続され、ユーザによって検出可能であり、該バッテリが充電を要求するまでの残り時間を示すインジケータを生成するように構成される、遠隔制御と
を備える、装置。
（項目６０５）
前記遠隔制御は、ディスプレイを含み、前記インジケータは、該ディスプレイ上の視覚インジケータである、項目６０４に記載の装置。
（項目６０６）
前記視覚インジケータは、円グラフである、項目６０５に記載の装置。
（項目６０７）
前記遠隔制御は、前記コントローラと無線通信するハンドヘルド遠隔制御である、項目６０４に記載の装置。
（項目６０８）
前記リザーバは、薬剤カートリッジ内にある、項目６０４に記載の装置。
（項目６０９）
前記薬剤カートリッジは、プランジャを含み、
前記流体変位デバイスは、プランジャプッシャを備える、項目６０８に記載の装置。
（項目６１０）
薬剤カートリッジを有する分注ポンプを含む装置を使用するための方法であって、該分注ポンプは、皮下分注プログラムに従って薬剤を皮下において分注し、該分注プログラムの実装の間、該分注プログラムに基づき、該薬剤カートリッジからの分注に先立って、該薬剤カートリッジが空になり、交換が必要となるまでの残り時間がどれくらいであるかを決定する注入ポンプと、残り時間のユーザ検出可能指標を提供する遠隔制御とを含む装置を使用する方法であって、該方法は、
該遠隔制御から、該皮下分注プログラムにおける残り時間量を把握するステップと、
残り時間の終了時に、該薬剤カートリッジを該ポンプから除去し、該除去された薬剤カートリッジを新しい薬剤カートリッジと交換することが好都合かまたは不都合かを決定するステップと、
該残り時間の終了時の交換が不都合であろうとの決定に応答して、該薬剤カートリッジが空になる前に該薬剤カートリッジを交換するステップと
を備える、方法。
（項目６１１）
前記遠隔制御は、視覚ディスプレイを含み、前記把握するステップは、該ディスプレイ上の視覚表現から、前記皮下分注プログラムにおける残り時間量を把握するステップを備える、項目６１０に記載の方法。
（項目６１２）
前記決定するステップは、前記残り時間の終了が前記ユーザの予想される睡眠および／または旅行の間に生じるか否かを決定するステップを含む、項目６１０に記載の方法。
（項目６１３）
前記遠隔制御は、可聴デバイスを含み、前記把握するステップは、可聴表現から前記皮下分注プログラムにおける残り時間量を把握するステップを備える、項目６１０に記載の方法。
（項目６１４）
前記表現は、残り時間ゲージである、項目６１０に記載の方法。
（項目６１５）
再充電可能バッテリと、該バッテリが交換を要求するまでの残り時間のユーザ検出可能指標を提供する遠隔制御とを有する注入ポンプを含む装置を使用する方法であって、
該方法は、
該バッテリが再充電を要求するまでの残り時間量を該遠隔制御から把握するステップと、
該残り時間の終了時に、該バッテリを再充電することが好都合または不都合であるかを決定するステップと、
該残り時間の終了時における再充電が不都合であろうとの決定に応答して、該バッテリが再充電を要求する前に、該バッテリを再充電するステップと
を備える、方法。
（項目６１６）
前記遠隔制御は、視覚ディスプレイを含み、前記把握するステップは、該ディスプレイ上の視覚表現から前記残り時間量を把握するステップを備える、項目６１５に記載の方法。
（項目６１７）
前記決定するステップは、前記残り時間の終了が前記ユーザの予想される睡眠および／または旅行の間に生じるか否かを決定するステップを含む、項目６１５に記載の方法。
（項目６１８）
前記遠隔制御は、可聴デバイスを含み、前記把握するステップは、可聴表現から前記残り時間量を把握するステップを備える、項目６１５に記載の方法。
（項目６１９）
前記表現は、残り時間ゲージである、項目６１５に記載の方法。
本発明のうちの少なくとも１つによる、薬剤カートリッジは、ある総充填体積を有する、薬剤リザーバと、リザーバから、総充填体積の０．１％以下の薬剤の量を、＋／−２０％を上回る単回投与精度を伴って、制御可能に分注するように移動可能である、プランジャとを含む。リザーバは、カートリッジバレルによって画定されてもよく、および／または精度は、８時間未満の分注期間内に得られてもよい。本発明はまた、カートリッジから流体を駆動するように構成される、ポンプアセンブリと組み合わせたそのようなカートリッジ、ポンプアセンブリに取着することができる、ベースプレートと組み合わせたそのようなカートリッジ、およびリザーバと流体連通し得る、カニューレと組み合わせたそのようなカートリッジ（そのようなポンプアセンブリ、ベースプレート、およびカニューレは、本明細書の実施例に照らして説明される、本明細書の請求項によって定義される、または当業者に周知である）を備える、装置、ならびにポンプアセンブリ、ベースプレート、およびカニューレの２つ以上と組み合わせたそのようなカートリッジを備える、システムを含む。